(57)【要約】【課題】動画表示を行う場合の疑似輪郭、像のずれ等を抑制して動画特性を向上することのできる電子回路の駆動方法、電子装置の駆動方法、電気光学装置の駆動方法及び電子機器を提供する。【解決手段】各画素回路２０Ｒの有機ＥＬ素子２１の発光を開始させた後、リセット期間に第２スイッチングトランジスタＱｓｗ２をオン状態とすることにより、電源電圧Ｖｄｄと保持キャパシタＣ１が駆動用トランジスタＱｄ及び第２スイッチングトランジスタＱｓｗ２を介して電気的に接続される。これにより、保持キャパシタＣ１はＶｄｄ−Ｖｔｈ以上のリセット電圧にリセットされて、駆動用トランジスタＱｄはオフ状態となり、有機ＥＬ素子２１への電流の供給が遮断されるので、有機ＥＬ素子２１の発光が停止する。【選択図】        図３
2004198493.tif 000002
【特許請求の範囲】
【請求項１】
第１の端子と第２の端子を備えた第１のトランジスタと、前記第１のトランジスタの第１の制御用端子に接続された容量素子と、前記第１の端子と前記容量素子との電気的な接続を制御する、第３の端子と第４の端子を備えた第２のトランジスタと、第５の端子と第６の端子を備えた第３のトランジスタと、を備えた電子回路の駆動方法であって、
前記第２のトランジスタ及び前記第３のトランジスタをオン状態とし、前記第６の端子及び前記第５の端子を介して信号を供給し、前記容量素子に前記信号に応じた電荷を蓄積し、前記第１のトランジスタの導通状態を前記信号に応じて設定する第１のステップと、
前記第３のトランジスタ及び前記第２のトランジスタをそれぞれオフ状態及びオン状態とすることにより前記第１のステップで設定された前記第１のトランジスタの導通状態を変化させる第２のステップと、
を含むことを特徴とする電子回路の駆動方法。
【請求項２】
請求項１に記載の電子回路の駆動方法において、
前記第２のステップでは、前記第１のトランジスタをオフ状態とすることを特徴とする電子回路の駆動方法。
【請求項３】
請求項１又は２に記載の電子回路の駆動方法において、
前記第１のトランジスタの前記第２の端子は電気的に所定の電位に接続されており、
前記第２のステップにおいて、前記第１の制御用端子に印加される電位は前記所定の電位とは異なっていることを特徴とする電子回路の駆動方法。
【請求項４】
請求項３に記載の電子回路の駆動方法において、
前記第２のステップにおいて、前記第１の制御用端子に印加される電位を、前記所定の電位から前記第１のトランジスタの閾値電圧を差し引いた電位、あるいは前記所定の電位と前記第１のトランジスタの閾値電圧とを足し合わせた電位とすること、
を特徴とする電子回路の駆動方法。
【請求項５】
請求項１乃至４のいずれか一つに記載の電子回路の駆動方法において、
前記第１のトランジスタに電子素子が接続されていることを特徴とする電子回路の駆動方法。
【請求項６】
請求項５に記載の電子回路の駆動方法において、
前記第２のステップにおいて、前記第１のトランジスタの前記第１の制御用端子に印加される電位で前記第１のトランジスタをオフ状態にして前記電子素子の動作をリセットすることを特徴とする電子回路の駆動方法。
【請求項７】
複数の第１の信号線と、複数の第２の信号線と、複数の第３の信号線と、電源線と、複数の単位回路とを備えた電子装置の駆動方法であって、
前記複数の単位回路の各々は、第１の端子と第２の端子を備えた第１のトランジスタと、前記第１のトランジスタの第１の制御用端子に接続された容量素子と、前記第１の端子と前記容量素子との電気的な接続を制御する、第３の端子と第４の端子を備えた第２のトランジスタと、第５の端子と第６の端子を備えた第３のトランジスタと、を備え、
前記第２のトランジスタの第２の制御用端子は前記複数の第２の信号線の一つに接続され、前記第３のトランジスタの第３の制御用端子及び前記第６の端子はそれぞれ前記複数の第１の信号線の一つ及び前記複数の第３の信号線の一つに接続されており、
前記第２のトランジスタ及び第３のトランジスタが共にオン状態となっている間に前記第３の信号線の一つを介して供給される信号を前記容量素子に電荷として蓄積し、前記第１のトランジスタの導通状態を前記信号に応じて設定する第１のステップと、
前記第３のトランジスタ及び第２のトランジスタをそれぞれオフ状態及びオン状態として、前記第１のステップで設定された前記第１のトランジスタの導通状態を減ずるような電荷量を前記容量素子に供給する第２のステップと、備えることを特徴とする電子装置の駆動方法。
【請求項８】
請求項７に記載の電子装置の駆動方法において、
前記第２のステップでは、前記第１のトランジスタをオフ状態とすることを特徴とする電子装置の駆動方法。
【請求項９】
請求項７又は８に記載の電子装置の駆動方法において、
前記第１のトランジスタの前記第２の端子は電気的に所定の電位に接続されており、
前記第２のステップにおいて、前記第１の制御用端子に印加される電位は前記所定の電位とは異なっていることを特徴とする電子装置の駆動方法。
【請求項１０】
請求項９に記載の電子回路の駆動方法において、
前記第２のステップにおいて、前記第１の制御用端子に印加される電位を、前記所定の電位から前記第１のトランジスタの閾値電圧を差し引いた電位、あるいは前記所定の電位と前記第１のトランジスタの閾値電圧とを足し合わせた電位とすること、
を特徴とする電子回路の駆動方法。
【請求項１１】
請求項７乃至９のいずれか一つに記載の電子装置の駆動方法において、
前記第１のトランジスタに電子素子が接続されていることを特徴とする電子装置の駆動方法。
【請求項１２】
請求項１１に記載の電子装置の駆動方法において、
前記第２のステップにおいて、前記第１のトランジスタの前記第１の制御用端子に印加される電位で前記第１のトランジスタをオフ状態にして前記電子素子の動作をリセットすることを特徴とする電子装置の駆動方法。
【請求項１３】
第１の副走査線と第２の副走査線をそれぞれ有するｎ行の走査線と、ｍ列のデータ線と、電源線と、前記走査線と前記データ線の交差部に対応してｎ行ｍ列に配置された複数の単位回路と、を備えた電気光学装置の駆動方法であって、
前記複数の単位回路の各々は、第１の端子と第２の端子を備えた第１のトランジスタと、前記第１のトランジスタの第１の制御用端子に接続された容量素子と、前記第１の端子と前記容量素子との電気的な接続を制御する、第３の端子と第４の端子を備えた第２のトランジスタと、第５の端子と第６の端子を備えた第３のトランジスタと、前記第１のトランジスタに接続された電気光学素子と、を備え、
前記第２のトランジスタの第２の制御用端子は前記ｎ行の走査線の一つの前記第２の副走査線に接続され、前記第３のトランジスタの第３の制御用端子は前記ｎ行の走査線の一つの前記第１の副走査線に接続され、そして前記第６の端子は前記ｍ列のデータ線の一つに接続されており、
前記第２のトランジスタ及び前記第３のトランジスタが共にオン状態となっている間に前記ｍ列のデータ線の一つを介して供給されるデータ信号を前記容量素子に電荷として蓄積し、前記第１のトランジスタの導通状態を前記データ信号に応じて設定する第１のステップと、
前記第３のトランジスタ及び第２のトランジスタをそれぞれオフ状態及びオン状態として、前記第１のステップで設定された前記第１のトランジスタの導通状態を減ずるような電荷量を前記容量素子に供給する第２のステップと、を備えることを特徴とする電気光学装置の駆動方法。
【請求項１４】
請求項１３に記載の電気光学装置の駆動方法において、
前記第２のステップでは、前記第１のトランジスタをオフ状態とすることを特徴とする電気光学装置の駆動方法。
【請求項１５】
請求項１３又は１４に記載の電気光学装置の駆動方法において、
前記第１のトランジスタの前記第２の端子は電気的に所定の電位に接続されており、
前記第２のステップにおいて、前記第１の制御用端子に印加される電位は前記所定の電位とは異なっていることを特徴とする電気光学装置の駆動方法。
【請求項１６】
請求項１５に記載の電気光学装置の駆動方法において、
前記第２のステップにおいて、前記第１の制御用端子に印加される電位を、前記所定の電位から前記第１のトランジスタの閾値電圧を差し引いた電位、あるいは前記所定の電位と前記第１のトランジスタの閾値電圧とを足し合わせた電位とすること、
を特徴とする電気光学装置の駆動方法。
【請求項１７】
請求項１３乃至１６のいずれか一つに記載の電気光学装置の駆動方法において、
前記第２のステップにおいて、前記第１の制御用端子に印加される電位で前記第１のトランジスタをオフ状態にして前記電気光学素子への電流の供給を停止させることを特徴とする電気光学装置の駆動方法。
【請求項１８】
請求項１３乃至１７のいずれか一つに記載の電気光学装置の駆動方法において、
１フレーム期間に前記ｎ行の走査線を順に一つずつ選択する垂直走査を少なくとも２回行い、
１回目の垂直走査では、前記ｎ行の走査線のうち奇数行或いは偶数行のいずれか一方の走査線の選択時に、前記複数の単位回路のうち選択された一つの走査線に接続された一行分の単位回路の前記第１のトランジスタの導通状態を前記データ信号に応じて設定するとともに、前記奇数行或いは偶数行のいずれか他方の走査線の選択時に、選択された一つの走査線に接続された一行分の単位回路の前記第２のトランジスタをオン状態にすることで前記第１のトランジスタをオフ状態とし、
２回目の垂直走査では、前記ｎ行の走査線のうち奇数行或いは偶数行のいずれか他方の走査線の選択時に、選択された一つの走査線に接続された一行分の単位回路の前記第１のトランジスタの導通状態を前記データ信号に応じて設定し、前記奇数行或いは偶数行のいずれか一方の走査線の選択時に、選択された一つの走査線に接続された一行分の単位回路の前記第２のトランジスタをオン状態にすることで前記第１のトランジスタをオフ状態とすることを特徴とする電気光学装置の駆動方法。
【請求項１９】
請求項１３乃至１７のいずれか一つに記載の電気光学装置の駆動方法において、
１フレーム期間に、前記複数の単位回路のうち選択された一つの走査線に接続された一行分の単位回路の前記第１のトランジスタの導通状態を前記データ信号に応じて設定するセット動作と、前記一行分の単位回路の前記第２のトランジスタをオン状態にすることで前記第１のトランジスタをオフ状態とするリセット動作とを、前記走査線を選択する毎に交互に行なうことを特徴とする電気光学装置の駆動方法。
【請求項２０】
請求項１９に記載の電気光学装置において、
前記セット動作がなされる走査線と前記リセット動作がなされる走査線とをそれぞれ、前記複数の走査線から順に選択することを特徴とする電気光学装置の駆動方法。
【請求項２１】
請求項１３乃至２０のいずれか一つに記載の電気光学装置の駆動方法において、
前記電気光学素子は赤色、緑色及び青色でそれぞれ発光する３種類の発光素子であり、
前記ｎ行の走査線の各々に接続された単位回路は、前記３種類の発光素子のうち、同色で発光する１種類の発光素子を含むことを特徴する電気光学装置の駆動方法。
【請求項２２】
第１の端子と第２の端子を備えた第１のトランジスタと、第３の端子及び第４の端子を備えた第２のトランジスタと、前記第１のトランジスタの第１の制御用端子及び前記第２のトランジスタの第２の制御用端子に共通に接続された容量素子と、前記第２のトランジスタの前記第３の端子と前記第２の制御用端子との電気的な接続を制御する、第５の端子と第６の端子を備えた第３のトランジスタと、第７の端子と第８の端子を備えた第４のトランジスタと、を備えた電子回路の駆動方法であって、
前記第３のトランジスタ及び第４のトランジスタをオン状態とし、前記第８の端子及び前記第７の端子を介して信号を供給し、前記容量素子に前記信号に応じた電荷を蓄積し、前記第２のトランジスタ及び前記第１のトランジスタの導通状態を前記信号に応じて設定する第１のステップと、
前記第４のトランジスタ及び前記第３のトランジスタをそれぞれオフ状態及びオン状態とすることにより前記第１のステップで設定された前記第２のトランジスタ及び前記第１のトランジスタの導通状態を変化させる第２のステップと、
を含むことを特徴とする電子回路の駆動方法。
【請求項２３】
請求項２２に記載の電子回路の駆動方法において、
前記第２のステップでは、前記第１のトランジスタをオフ状態とすることを特徴とする電子回路の駆動方法。
【請求項２４】
請求項２２又は２３に記載の電子回路の駆動方法において、
前記第１のトランジスタの前記第２の端子は電気的に所定の電位に接続されており、
前記第２のステップにおいて、前記第１の制御用端子に印加される電位は前記所定の電位とは異なっていることを特徴とする電子回路の駆動方法。
【請求項２５】
請求項２２乃至２４のいずれか一つに記載の電子回路の駆動方法において、
前記第１のトランジスタに電子素子が接続されていることを特徴とする電子回路の駆動方法。
【請求項２６】
請求項２５に記載の電子回路の駆動方法において、
前記第２のステップにおいて、前記第１の制御用端子に印加される電位で前記第１のトランジスタをオフ状態にして前記電子素子の動作をリセットすることを特徴とする電子回路の駆動方法。
【請求項２７】
複数の第１の信号線と、複数の第２の信号線と、複数の第３の信号線と、電源線と、複数の単位回路とを備えた電子装置の駆動方法であって、
前記複数の単位回路の各々は、第１の端子と第２の端子を備えた第１のトランジスタと、第３の端子及び第４の端子を備えた第２のトランジスタと、前記第１のトランジスタの第１の制御用端子及び前記第２のトランジスタの第２の制御用端子に共通に接続された容量素子と、前記第２のトランジスタの前記第３の端子と前記第２の制御用端子との電気的な接続を制御する、第５の端子と第６の端子を備えた第３のトランジスタと、第７の端子と第８の端子を備えた第４のトランジスタと、を備え、
前記第３のトランジスタの第３の制御用端子は前記複数の第２の信号線の一つに接続され、前記第４のトランジスタの第４の制御用端子及び前記第８の端子はそれぞれ前記複数の第１の信号線の一つ及び前記複数の第２の信号線の一つに接続されており、
前記第３のトランジスタ及び第４のトランジスタが共にオン状態となっている間に前記複数の第３の信号線の一つを介して供給される信号を前記容量素子に電荷として蓄積し、前記第１のトランジスタの導通状態を前記信号に応じて設定する第１のステップと、
前記第４のトランジスタ及び第３のトランジスタをそれぞれオフ状態及びオン状態として、前記第１のステップで設定された前記第１のトランジスタの導通状態を減ずるような電荷量を前記容量素子に供給する第２のステップと、を備えることを特徴とする電子装置の駆動方法。
【請求項２８】
第１の副走査線と第２の副走査線をそれぞれ有するｎ行の走査線と、ｍ列のデータ線と、電源線と、前記走査線と前記データ線の交差部に対応してｎ行ｍ列に配置された複数の単位回路と、を備えた電気光学装置の駆動方法であって、
前記複数の単位回路の各々は、第１の端子と第２の端子を備えた第１のトランジスタと、第３の端子と第４の端子を備えた第２のトランジスタと、前記第１のトランジスタの第１の制御用端子及び前記第２のトランジスタの第２の制御用端子に共通に接続された容量素子と、前記第２のトランジスタの前記第３の端子と前記第２の制御用端子との電気的な接続を制御する、第５の端子と第６の端子を備えた第３のトランジスタと、第７の端子と第８の端子を備えた第４のトランジスタと、前記第１のトランジスタに接続された電気光学素子と、を備え、
前記第３のトランジスタの第３の制御用端子は前記ｎ行の走査線の一つの前記第２の副走査線に接続され、前記第４のトランジスタの第４の制御用端子及び前記第８の端子はそれぞれ前記ｎ行の走査線の一つの前記第１の副走査線及び前記ｍ列のデータ線の一つに接続されており、
前記第３のトランジスタ及び第４のトランジスタが共にオン状態となっている間に前記ｍ列のデータ線の一つを介して供給されるデータ信号を前記容量素子に電荷として蓄積し、前記第２のトランジスタ及び前記第１のトランジスタの導通状態を前記データ信号に応じて設定する第１のステップと、
前記第４のトランジスタ及び第３のトランジスタをそれぞれオフ状態及びオン状態として、前記第１のステップで設定された前記第２のトランジスタ及び前記第１のトランジスタの導通状態を減ずるような電荷量を前記容量素子に供給する第２のステップと、備えることを特徴とする電気光学装置の駆動方法。
【請求項２９】
請求項２８に記載の電気光学装置の駆動方法において、
前記電気光学素子は赤色、緑色及び青色でそれぞれ発光する３種類の発光素子であり、
前記ｎ行の走査線の各々に接続された単位回路は、前記３種類の発光素子のうち、同色で発光する１種類の発光素子を含むことを特徴する電気光学装置の駆動方法。
【請求項３０】
請求項２８又は２９に記載の電気光学装置の駆動方法において、
１フレーム期間に前記ｎ行の走査線を順に一つずつ選択する垂直走査を少なくとも２回行い、
１回目の垂直走査では、前記ｎ行の走査線のうち奇数行或いは偶数行のいずれか一方の走査線の選択時に、前記複数の単位回路のうち選択された一つの走査線に接続された一行分の単位回路の前記第１のトランジスタの導通状態を前記データ信号に応じて設定するとともに、前記奇数行或いは偶数行のいずれか他方の走査線の選択時に、選択された一つの走査線に接続された一行分の単位回路の前記第２のトランジスタをオン状態にすることで前記第１のトランジスタをオフ状態とし、
２回目の垂直走査では、前記ｎ行の走査線のうち奇数行或いは偶数行のいずれか他方の走査線の選択時に、選択された一つの走査線に接続された一行分の単位回路の前記第１のトランジスタの導通状態を前記データ信号に応じて設定し、前記奇数行或いは偶数行のいずれか一方の走査線の選択時に、選択された一つの走査線に接続された一行分の単位回路の前記第２のトランジスタをオン状態にすることで前記第１のトランジスタをオフ状態とすることを特徴とする電気光学装置の駆動方法。
【請求項３１】
請求項２８又は２９に記載の電気光学装置の駆動方法において、
１フレーム期間に、前記複数の単位回路のうち選択された一つの走査線に接続された一行分の単位回路の前記第１のトランジスタの導通状態を前記データ信号に応じて設定するセット動作と、前記一行分の単位回路の前記第２のトランジスタをオン状態にすることで前記第１のトランジスタをオフ状態にして前記発光素子の発光を停止させるリセット動作とを、前記走査線を選択する毎に交互に行なうことを特徴とする電気光学装置の駆動方法。
【請求項３２】
請求項３１に記載の電気光学装置において、
前記セット動作がなされる走査線と前記リセット動作がなされる走査線とをそれぞれ、前記複数の走査線から順に選択することを特徴とする電気光学装置の駆動方法。
【請求項３３】
第１の端子と第２の端子を備えた第１のトランジスタと、前記１のトランジスタの第１の制御用端子に接続された容量素子と、前記第１の端子と前記容量素子との電気的な接続を制御する、第３の端子と第４の端子を備えた第２のトランジスタと、前記第４の端子と前記容量素子を介して電気的に接続されかつ前記第１のトランジスタの第２の端子と電気的に接続され、第５の端子と第６の端子を備えた第３のトランジスタと、前記第２の端子に接続された第７の端子と第８の端子を備えた第４のトランジスタと、を備えた電子回路の駆動方法であって、
前記第２のトランジスタ及び前記第３のトランジスタをオン状態とし、前記第６の端子及び前記第５の端子を介して信号を供給し、前記容量素子に前記信号に応じた電荷を蓄積し、前記第１のトランジスタの導通状態を前記信号に応じて設定する第１のステップと、
前記第４のトランジスタをオフ状態とすることにより前記第１のステップで設定された前記第１のトランジスタの導通状態を変化させる第２のステップと、
を含むことを特徴とする電子回路の駆動方法。
【請求項３４】
複数の第１の信号線と、複数の第２の信号線と、複数の第３の信号線と、電源線と、複数の単位回路とを備えた電子装置の駆動方法であって、
前記複数の単位回路の各々は、第１の端子と第２の端子を備えた第１のトランジスタと、前記１のトランジスタの第１の制御用端子に接続された容量素子と、前記第１の端子と前記容量素子との電気的な接続を制御する、第３の端子と第４の端子を備えた第２のトランジスタと、前記第４の端子と前記第１のトランジスタの第１の制御用端子に前記容量素子を介して電気的に接続され、第５の端子と第６の端子を備えた第３のトランジスタと、前記第２の端子に接続された第７の端子と第８の端子を備えた第４のトランジスタと、を備え、
前記第２のトランジスタの第２の制御用端子は前記複数の第２の信号線の一つに接続され、前記第３のトランジスタの第３の制御用端子及び前記第６の端子はそれぞれ前記複数の第１の信号線の一つ及び前記複数の第３の信号線の一つに接続されており、
前記第２のトランジスタ及び第３のトランジスタが共にオン状態となっている間に前記第３の信号線の一つを介して供給される信号を前記容量素子に電荷として蓄積し、前記第１のトランジスタの導通状態を前記信号に応じて設定する第１のステップと、
前記第４のトランジスタをオフ状態とする第２のステップと、を備えることを特徴とする電子装置の駆動方法。
【請求項３５】
第１の副走査線と第２の副走査線をそれぞれ有するｎ行の走査線と、ｍ列のデータ線と、電源線と、前記走査線と前記データ線の交差部に対応してｎ行ｍ列に配置された複数の単位回路と、を備えた電気光学装置の駆動方法であって、
前記複数の単位回路の各々は、第１の端子と第２の端子を備えた第１のトランジスタと、前記１のトランジスタの第１の制御用端子に接続された容量素子と、前記第１の端子と前記容量素子との電気的な接続を制御する、第３の端子と第４の端子を備えた第２のトランジスタと、前記第４の端子と前記第１のトランジスタの第１の制御用端子に前記容量素子を介して電気的に接続され、第５の端子と第６の端子を備えた第３のトランジスタと、前記第２の端子に接続された第７の端子と第８の端子を備えた第４のトランジスタと、前記第１のトランジスタに接続された電気光学素子と、を備え、
前記第２のトランジスタの第２の制御用端子は前記ｎ行の走査線の一つの前記第２の副走査線に、前記第３のトランジスタの第３の制御用端子は前記ｎ行の走査線の一つの前記第１の副走査線に接続され、そして前記第６の端子は前記ｍ列のデータ線の一つに接続され、
前記第２のトランジスタ及び第３のトランジスタが共にオン状態となっている間に前記複数のデータ線の一つを介して供給されるデータ信号を前記容量素子に電荷として蓄積し、前記第１のトランジスタの導通状態を前記データ信号に応じて設定する第１のステップと、
前記第４のトランジスタをオフ状態とする第２のステップと、を備えることを特徴とする電気光学装置の駆動方法。
【請求項３６】
請求項１乃至３５のいずれか一つに記載の駆動方法を用いたことを特徴とする電子機器。
【発明の詳細な説明】
【０００１】
【発明の属する技術分野】
本発明は電子回路の駆動方法、電子装置の駆動方法、電気光学装置の駆動方法及び電子機器に関するものである。
【０００２】
【従来の技術】
近年、電気光学装置として有機ＥＬ素子を用いた電気光学装置が、低消費電力、高視野角、高コントラスト比で他の装置より優れているとして注目されている。この種の有機ＥＬ素子を用いた電気光学装置には、ゲート端子にデータ信号（データ電流）に応じた電圧を印加することによりトランジスタの導通状態を制御して、有機ＥＬ素子に供給する電流量を設定して輝度階調を制御する方式がある（例えば、特許文献１参照）。
【０００３】
【特許文献１】
国際公開第ＷＯ９８／３６４０号のパンフレット
【０００４】
【発明が解決しようとする課題】
上記方式の電気光学装置では、ある画素が走査信号により選択され、次に選択されるまでの期間を全て表示期間あるいは発光期間として利用して動画表示を行った場合、疑似輪郭、像のずれ等の問題が発生することがある。
【０００５】
本発明は、このような従来の問題点に着目してなされたものであって、その目的は動画表示を行う場合の疑似輪郭、像のずれ等を抑制して動画特性を向上することのできる電子回路の駆動方法、電子装置の駆動方法、電気光学装置の駆動方法及び電子機器を提供することにある。
【０００６】
【課題を解決するための手段】
本発明における電子回路の駆動方法は、第１の端子と第２の端子を備えた第１のトランジスタと、前記第１のトランジスタの第１の制御用端子に接続された容量素子と、前記第１の端子と前記容量素子との電気的な接続を制御する、第３の端子と第４の端子を備えた第２のトランジスタと、第５の端子と第６の端子を備えた第３のトランジスタと、を備えた電子回路の駆動方法であって、前記第２のトランジスタ及び前記第３のトランジスタをオン状態とし、前記第６の端子及び前記第５の端子を介して信号を供給し、前記容量素子に前記信号に応じた電荷を蓄積し、前記第１のトランジスタの導通状態を前記信号に応じて設定する第１のステップと、前記第３のトランジスタ及び前記第２のトランジスタをそれぞれオフ状態及びオン状態とすることにより前記第１のステップで設定された前記第１のトランジスタの導通状態を変化させる第２のステップと、を含むことを特徴とする。
【０００７】
これによれば、第１のステップにおいて、第２及び第３のトランジスタをオン状態として容量素子に信号に応じた電荷を蓄積し、第１のトランジスタの導通状態を信号に応じて設定する。その後、第２のステップにおいて、第３及び第２のトランジスタをそれぞれオフ状態及びオン状態とすることにより第１のステップで設定された第１のトランジスタの導通状態を変化させることができる。これにより、第１のステップで信号に応じて設定された第１のトランジスタの導通状態を第２のステップで変化させた状態で、次の第１のステップにおいて、容量素子に信号、例えばデータ電流に応じた電荷を書き込むことができる。このため、データ電流が小さい場合でも、データ電流を書き込むのに要する時間を短くすることができる。その結果、データ線の配線容量等による影響を抑制することができ、動画表示を行う場合に疑似輪郭、像のずれなどの発生が抑制され、動画特性を向上することができる。なお、ここにいう「疑似輪郭」とは、表示画像に追従する視線の動き等により生ずる階調表示色のずれ等をいう。
【０００８】
また、第１のトランジスタの導通状態を変化させるために、トランジスタや回路を特別に設ける必要がなく、第３のトランジスタ及び第２のトランジスタのオン、オフを制御するだけでよい。したがって、トランジスタや回路を特別に設けることなく、低輝度の階調に対応するデータを書き込む場合でもデータ書込み時間を短縮して動作の遅延を低減することができる。
【０００９】
この電子回路の駆動方法において、前記第２のステップでは、前記第１のトランジスタをオフ状態とする。
これによれば、第１のステップで信号に応じて導通状態が設定された第１のトランジスタを、第２のステップで、次の第１のステップ実行前にオフ状態にすることができる。これにより、第１のトランジスタを次の第１のステップ実行前にオフ状態にして、次の第１のステップで、容量素子に信号、例えばデータ電流に応じた電荷を書き込むことになる。このため、データ電流が小さい場合でも、データ書込み時間をより短縮して動作の遅延をより低減することができ、動画特性をさらに向上することができる。
【００１０】
この電子回路の駆動方法において、前記第１のトランジスタの前記第２の端子は電気的に所定の電位に接続されており、前記第２のステップにおいて、前記第１の制御用端子に印加される電位は前記所定の電位とは異なっている。
【００１１】
これによれば、第２のステップにおいて、所定の電位とは異なる電位を第１の制御用端子に印加して、第１のトランジスタの導通状態を変化させあるいは第１のトランジスタをオフさせることができる。
【００１２】
この電子回路の駆動方法において、前記第２のステップにおいて、前記第１の制御用端子に印加される電位を、前記所定の電位から前記第１のトランジスタの閾値電圧を差し引いた電位、あるいは前記所定の電位と前記第１のトランジスタの閾値電圧とを足し合わせた電位とする。
【００１３】
これによれば、第２のステップにおいて、所定の電位から第１のトランジスタの閾値電圧を差し引いた電位あるいは所定の電位と第１のトランジスタの閾値電圧とを足し合わせた電位を第１の制御用端子に印加する。これにより、第１のトランジスタの導通状態を変化させあるいは第１のトランジスタをオフさせることができる。
【００１４】
この電子回路の駆動方法において、前記第１のトランジスタに電子素子が接続されている。
これによれば、第２のステップにおいて、第１のトランジスタの導通状態を変化させあるいは第１のトランジスタをオフさせることにより、電子素子の動作状態を変化させあるいはその動作をリセット（終了）させることができる。
【００１５】
この電子回路の駆動方法において、前記第２のステップにおいて、前記第１のトランジスタの前記第１の制御用端子に印加される電位で前記第１のトランジスタをオフ状態にして前記電子素子の動作をリセットする。
【００１６】
これによれば、第２のステップにおいて、第１の制御用端子に印加される電位で第１のトランジスタをオフ状態にして電子素子の動作をリセットすることができる。
【００１７】
本発明における電子装置の駆動方法は、複数の第１の信号線と、複数の第２の信号線と、複数の第３の信号線と、電源線と、複数の単位回路とを備えた電子装置の駆動方法であって、前記複数の単位回路の各々は、第１の端子と第２の端子を備えた第１のトランジスタと、前記第１のトランジスタの第１の制御用端子に接続された容量素子と、前記第１の端子と前記容量素子との電気的な接続を制御する、第３の端子と第４の端子を備えた第２のトランジスタと、第５の端子と第６の端子を備えた第３のトランジスタと、を備え、前記第２のトランジスタの第２の制御用端子は前記複数の第２の信号線の一つに接続され、前記第３のトランジスタの第３の制御用端子及び前記第６の端子はそれぞれ前記複数の第１の信号線の一つ及び前記複数の第３の信号線の一つに接続されており、前記第２のトランジスタ及び第３のトランジスタが共にオン状態となっている間に前記第３の信号線の一つを介して供給される信号を前記容量素子に電荷として蓄積し、前記第１のトランジスタの導通状態を前記信号に応じて設定する第１のステップと、前記第３のトランジスタ及び第２のトランジスタをそれぞれオフ状態及びオン状態として、前記第１のステップで設定された前記第１のトランジスタの導通状態を減ずるような電荷量を前記容量素子に供給する第２のステップと、備える。
【００１８】
これによれば、第２のステップにおいて、第１のステップで信号に応じて設定された第１のトランジスタの導通状態を減ずるように変化させた状態で、次の第１のステップにおいて、容量素子に信号、例えばデータ電流に応じた電荷を書き込むことができる。このため、データ電流が小さい場合でも、データ電流を書き込むのに要する時間を短くすることができる。その結果、データ線の配線容量等による影響を抑制することができ、動画表示を行う場合に疑似輪郭、像のずれなどの発生が抑制され、動画特性を向上することができる。また、第１のトランジスタの導通状態を減ずるように変化させるために、トランジスタや回路を特別に設ける必要がなく、第３のトランジスタ及び第２のトランジスタのオン、オフを制御するだけでよい。
【００１９】
この電子装置の駆動方法において、前記第２のステップでは、前記第１のトランジスタをオフ状態とする。
これによれば、第１のステップで信号に応じて導通状態が設定された第１のトランジスタを、第２のステップで、次の第１のステップ実行前にオフ状態にすることができる。これにより、第１のトランジスタを次の第１のステップ実行前にオフ状態にして、次の第１のステップで、容量素子に信号、例えばデータ電流に応じた電荷を書き込むことになる。このため、データ電流が小さい場合でも、データ書込み時間をより短縮して動作の遅延をより低減することができ、動画特性をさらに向上することができる。
【００２０】
この電子装置の駆動方法において、前記第１のトランジスタの前記第２の端子は電気的に所定の電位に接続されており、前記第２のステップにおいて、前記第１の制御用端子に印加される電位は前記所定の電位とは異なっている。
【００２１】
これによれば、第２のステップにおいて、所定の電位とは異なる電位を第１の制御用端子に印加して、第１のトランジスタの導通状態を減ずるように変化させあるいは第１のトランジスタをオフさせることができる。
【００２２】
この電子装置の駆動方法において、前記第２のステップにおいて、前記第１の制御用端子に印加される電位を、前記所定の電位から前記第１のトランジスタの閾値電圧を差し引いた電位、あるいは前記所定の電位と前記第１のトランジスタの閾値電圧とを足し合わせた電位とする。
【００２３】
これによれば、第２のステップにおいて、所定の電位から第１のトランジスタの閾値電圧を差し引いた電位あるいは所定の電位と第１のトランジスタの閾値電圧とを足し合わせた電位を第１の制御用端子に印加する。これにより、第１のトランジスタの導通状態を減ずるように変化させあるいは第１のトランジスタをオフさせることができる。
【００２４】
この電子装置の駆動方法において、前記第１のトランジスタに電子素子が接続されている前記第１のトランジスタに電子素子が接続されている。
これによれば、第２のステップにおいて、第１のトランジスタの導通状態を減ずるように変化させあるいは第１のトランジスタをオフさせることにより、電子素子の動作状態を減ずるように変化させあるいはその動作をリセットすることができる。
【００２５】
この電子装置の駆動方法において、前記第２のステップにおいて、前記第１のトランジスタの前記第１の制御用端子に印加される電位で前記第１のトランジスタをオフ状態にして前記電子素子の動作をリセットする。
【００２６】
これによれば、第２のステップにおいて、第１の制御用端子に印加される電位で第１のトランジスタをオフ状態にして電子素子の動作をリセットすることができる。
【００２７】
本発明における電気光学装置の駆動方法は、第１の副走査線と第２の副走査線をそれぞれ有するｎ行の走査線と、ｍ列のデータ線と、電源線と、前記走査線と前記データ線の交差部に対応してｎ行ｍ列に配置された複数の単位回路と、を備えた電気光学装置の駆動方法であって、前記複数の単位回路の各々は、第１の端子と第２の端子を備えた第１のトランジスタと、前記第１のトランジスタの第１の制御用端子に接続された容量素子と、前記第１の端子と前記容量素子との電気的な接続を制御する、第３の端子と第４の端子を備えた第２のトランジスタと、第５の端子と第６の端子を備えた第３のトランジスタと、前記第１のトランジスタに接続された電気光学素子と、を備え、前記第２のトランジスタの第２の制御用端子は前記ｎ行の走査線の一つの前記第２の副走査線に接続され、前記第３のトランジスタの第３の制御用端子は前記ｎ行の走査線の一つの前記第１の副走査線に接続され、そして前記第６の端子は前記ｍ列のデータ線の一つに接続されており、 前記第２のトランジスタ及び前記第３のトランジスタが共にオン状態となっている間に前記ｍ列のデータ線の一つを介して供給されるデータ信号を前記容量素子に電荷として蓄積し、前記第１のトランジスタの導通状態を前記データ信号に応じて設定する第１のステップと、 前記第３のトランジスタ及び第２のトランジスタをそれぞれオフ状態及びオン状態として、前記第１のステップで設定された前記第１のトランジスタの導通状態を減ずるような電荷量を前記容量素子に供給する第２のステップと、を備える。
【００２８】
これによれば、第２のステップにおいて、第１のステップでデータ信号に応じて設定された第１のトランジスタの導通状態を減ずるように変化させた状態で、次の第１のステップにおいて、容量素子にデータ信号、例えばデータ電流に応じた電荷を書き込むことができる。このため、データ電流が小さい場合でも、データ電流を書き込むのに要する時間を短くすることができる。その結果、データ線の配線容量等による影響を抑制することができ、動画表示を行う場合に疑似輪郭、像のずれなどの発生が抑制され、動画特性を向上することができる。また、第１のトランジスタの導通状態を減ずるように変化させるために、トランジスタや回路を特別に設ける必要がなく、第３のトランジスタ及び第２のトランジスタのオン、オフを制御するだけでよい。
【００２９】
この電気光学装置の駆動方法において、前記第２のステップでは、前記第１のトランジスタをオフ状態とする。
これによれば、第１のステップで信号に応じて導通状態が設定された第１のトランジスタを、第２のステップで、次の第１のステップ実行前にオフ状態にすることができる。これにより、第１のトランジスタを次の第１のステップ実行前にオフ状態にして、次の第１のステップで、容量素子に信号、例えばデータ電流に応じた電荷を書き込むことになる。このため、データ電流が小さい場合でも、データ書込み時間をより短縮して動作の遅延をより低減することができ、動画特性をさらに向上することができる。
【００３０】
この電気光学装置の駆動方法において、前記第１のトランジスタの前記第２の端子は電気的に所定の電位に接続されており、前記第２のステップにおいて、前記第１の制御用端子に印加される電位は前記所定の電位とは異なっている。
【００３１】
これによれば、第２のステップにおいて、所定の電位とは異なる電位を第１の制御用端子に印加して、第１のトランジスタの導通状態を減ずるように変化させあるいは第１のトランジスタをオフさせることができる。
【００３２】
この電気光学装置の駆動方法において、前記第２のステップにおいて、前記第１の制御用端子に印加される電位を、前記所定の電位から前記第１のトランジスタの閾値電圧を差し引いた電位、あるいは前記所定の電位と前記第１のトランジスタの閾値電圧とを足し合わせた電位とする。
【００３３】
これによれば、第２のステップにおいて、所定の電位から第１のトランジスタの閾値電圧を差し引いた電位あるいは所定の電位と第１のトランジスタの閾値電圧とを足し合わせた電位を第１の制御用端子に印加する。これにより、第１のトランジスタの導通状態を減ずるように変化させあるいは第１のトランジスタをオフさせることができる。
【００３４】
この電気光学装置の駆動方法において、前記第２のステップにおいて、前記第１の制御用端子に印加される電位で前記第１のトランジスタをオフ状態にして前記電気光学素子への電流の供給を停止させる。
【００３５】
これによれば、第２のステップにおいて、第１の制御用端子に印加される電位で第１のトランジスタをオフ状態にして電気光学素子の動作を停止させる（リセットする）ことができる。
【００３６】
この電気光学装置の駆動方法において、１フレーム期間に前記ｎ行の走査線を順に一つずつ選択する垂直走査を少なくとも２回行い、１回目の垂直走査では、前記ｎ行の走査線のうち奇数行或いは偶数行のいずれか一方の走査線の選択時に、前記複数の単位回路のうち選択された一つの走査線に接続された一行分の単位回路の前記第１のトランジスタの導通状態を前記データ信号に応じて設定するとともに、前記奇数行或いは偶数行のいずれか他方の走査線の選択時に、選択された一つの走査線に接続された一行分の単位回路の前記第２のトランジスタをオン状態にすることで前記第１のトランジスタをオフ状態とし、２回目の垂直走査では、前記ｎ行の走査線のうち奇数行或いは偶数行のいずれか他方の走査線の選択時に、選択された一つの走査線に接続された一行分の単位回路の前記第１のトランジスタの導通状態を前記データ信号に応じて設定し、前記奇数行或いは偶数行のいずれか一方の走査線の選択時に、選択された一つの走査線に接続された一行分の単位回路の前記第２のトランジスタをオン状態にすることで前記第１のトランジスタをオフ状態とする。
【００３７】
これによれば、インタレース型の垂直走査を行って１フレームの画像を構成することにより、各走査線を選択して第１のトランジスタをオン状態とし、電気光学素子を動作状態にするセット期間が集中することなく分散されるため、回路の負荷が軽減される。また、各走査線を選択して第１のトランジスタをオフ状態とし、電気光学素子の動作を停止させるリセット期間も集中することなく分散されるため、回路の負荷が軽減される。こうして回路の負荷を軽減できるので、その負荷が軽減された分、大きめの電流値のデータ信号を供給できるようになる。このため、データ線の配線容量等による動作の遅延をより一層低減することができ、セット期間をより短くすることができる。したがって、高速でのデータ書き込みが可能になるとともに、データ電流が小さい場合でも、データ書込み時間をより短縮して動作の遅延をより低減することができ、動画特性をさらに向上することができる。
【００３８】
この電気光学装置の駆動方法において、１フレーム期間に、前記複数の単位回路のうち選択された一つの走査線に接続された一行分の単位回路の前記第１のトランジスタの導通状態を前記データ信号に応じて設定するセット動作と、前記一行分の単位回路の前記第２のトランジスタをオン状態にすることで前記第１のトランジスタをオフ状態とするリセット動作とを、前記走査線を選択する毎に交互に行なう。
【００３９】
これによれば、上述したような飛び越し走査型の垂直走査を行って１フレームの画像を構成することにより、各走査線を選択して第１のトランジスタの導通状態を設定し、電気光学素子を動作状態にするセット期間が集中することなく分散されるため、回路の負荷が軽減される。また、各走査線を選択して第１のトランジスタをオフ状態とし、電気光学素子の動作を停止させるリセット期間も集中することなく分散されるため、回路の負荷が軽減される。こうして回路の負荷を軽減できるので、その負荷が軽減された分、大きめの電流値のデータ信号を供給できるようになる。このため、データ線の配線容量による動作の遅延をより一層低減することができ、セット期間をより短くすることができる。したがって、高速でのデータ書き込みが可能になり、データ電流が小さい場合でも、データ書込み時間をより短縮して動作の遅延をより低減することができ、動画特性をさらに向上することができる。
【００４０】
この電気光学装置の駆動方法において、前記セット動作がなされる走査線と前記リセット動作がなされる走査線とをそれぞれ、前記複数の走査線から順に選択する。
【００４１】
これによれば、最初にリセット動作がなされる走査線を適宜選択することにより、電気光学素子の動作期間を変更することができる。これにより、最適な動画特性が得られる電気光学素子の動作期間を容易に設定することができる。
【００４２】
この電気光学装置の駆動方法において、前記電気光学素子は赤色、緑色及び青色でそれぞれ発光する３種類の発光素子であり、前記ｎ行の走査線の各々に接続された単位回路は、前記３種類の発光素子のうち、同色で発光する１種類の発光素子を含む。
【００４３】
これによれば、各走査線には、赤色、緑色及び青色でそれぞれ発光する３種類の発光素子のうち、同色で発光する発光素子が接続されているので、各走査線毎に発光素子の発光を停止させるタイミングを変えることにより、発光素子の発光期間を色毎に適宜変更することができる。これにより、経年変化などによる色バランスの変化を容易に調整することができる。
【００４４】
本発明における電子回路の駆動方法は、第１の端子と第２の端子を備えた第１のトランジスタと、第３の端子及び第４の端子を備えた第２のトランジスタと、前記第１のトランジスタの第１の制御用端子及び前記第２のトランジスタの第２の制御用端子に共通に接続された容量素子と、前記第２のトランジスタの前記第３の端子と前記第２の制御用端子との電気的な接続を制御する、第５の端子と第６の端子を備えた第３のトランジスタと、第７の端子と第８の端子を備えた第４のトランジスタと、を備えた電子回路の駆動方法であって、前記第３のトランジスタ及び第４のトランジスタをオン状態とし、前記第８の端子及び前記第７の端子を介して信号を供給し、前記容量素子に前記信号に応じた電荷を蓄積し、前記第２のトランジスタ及び前記第１のトランジスタの導通状態を前記信号に応じて設定する第１のステップと、前記第４のトランジスタ及び前記第３のトランジスタをそれぞれオフ状態及びオン状態とすることにより前記第１のステップで設定された前記第２のトランジスタ及び前記第１のトランジスタの導通状態を変化させる第２のステップと、を含む。
【００４５】
これによれば、第１のステップにおいて、第２及び第３のトランジスタをオン状態として容量素子に信号に応じた電荷を蓄積し、第１のトランジスタの導通状態を信号に応じて設定する。その後、第２のステップにおいて、第３及び第２のトランジスタをそれぞれオフ状態及びオン状態とすることにより第１のステップで設定された第１のトランジスタの導通状態を変化させることができる。これにより、第１のステップで信号に応じて設定された第１のトランジスタの導通状態を第２のステップで変化させた状態で、次の第１のステップにおいて、容量素子に信号、例えばデータ電流に応じた電荷を書き込むことができる。このため、データ電流が小さい場合でも、データ電流を書き込むのに要する時間を短くすることができる。その結果、データ線の配線容量等による影響を抑制することができ、動画表示を行う場合に疑似輪郭、像のずれなどの発生が抑制され、動画特性を向上することができる。
【００４６】
また、第１のトランジスタの導通状態を変化させるために、トランジスタや回路を特別に設ける必要がなく、第３のトランジスタ及び第２のトランジスタのオン、オフを制御するだけでよい。したがって、トランジスタや回路を特別に設けることなく、低輝度の階調に対応するデータを書き込む場合でもデータ書込み時間を短縮して動作の遅延を低減することができる。
【００４７】
この電子回路の駆動方法において、前記第２のステップでは、前記第１のトランジスタをオフ状態とする。
これによれば、第１のステップで信号に応じて導通状態が設定された第１のトランジスタを、第２のステップで、次の第１のステップ実行前にオフ状態にすることができる。これにより、第１のトランジスタを次の第１のステップ実行前にオフ状態にして、次の第１のステップで、容量素子に信号、例えばデータ電流に応じた電荷を書き込むことになる。このため、データ電流が小さい場合でも、データ書込み時間をより短縮して動作の遅延をより低減することができ、動画特性をさらに向上することができる。
【００４８】
この電子回路の駆動方法において、前記第１のトランジスタの前記第２の端子は電気的に所定の電位に接続されており、前記第２のステップにおいて、前記第１の制御用端子に印加される電位は前記所定の電位とは異なっている。
【００４９】
これによれば、第２のステップにおいて、所定の電位とは異なる電位を第１の制御用端子に印加して、第１のトランジスタの導通状態を変化させあるいは第１のトランジスタをオフさせることができる。
【００５０】
この電子回路の駆動方法において、前記第１のトランジスタに電子素子が接続されている。
これによれば、第２のステップにおいて、第１のトランジスタの導通状態を変化させあるいは第１のトランジスタをオフさせることにより、電子素子の動作状態を変化させあるいはその動作をリセット（終了）させることができる。
【００５１】
この電子回路の駆動方法において、前記第２のステップにおいて、前記第１の制御用端子に印加される電位で前記第１のトランジスタをオフ状態にして前記電子素子の動作をリセットする。
【００５２】
これによれば、第２のステップにおいて、第１の制御用端子に印加される電位で第１のトランジスタをオフ状態にして電子素子の動作をリセットすることができる。
【００５３】
本発明における電子装置の駆動方法は、複数の第１の信号線と、複数の第２の信号線と、複数の第３の信号線と、電源線と、複数の単位回路とを備えた電子装置の駆動方法であって、前記複数の単位回路の各々は、第１の端子と第２の端子を備えた第１のトランジスタと、第３の端子及び第４の端子を備えた第２のトランジスタと、前記第１のトランジスタの第１の制御用端子及び前記第２のトランジスタの第２の制御用端子に共通に接続された容量素子と、前記第２のトランジスタの前記第３の端子と前記第２の制御用端子との電気的な接続を制御する、第５の端子と第６の端子を備えた第３のトランジスタと、第７の端子と第８の端子を備えた第４のトランジスタと、を備え、前記第３のトランジスタの第３の制御用端子は前記複数の第２の信号線の一つに接続され、前記第４のトランジスタの第４の制御用端子及び前記第８の端子はそれぞれ前記複数の第１の信号線の一つ及び前記複数の第２の信号線の一つに接続されており、前記第３のトランジスタ及び第４のトランジスタが共にオン状態となっている間に前記複数の第３の信号線の一つを介して供給される信号を前記容量素子に電荷として蓄積し、前記第１のトランジスタの導通状態を前記信号に応じて設定する第１のステップと、前記第４のトランジスタ及び第３のトランジスタをそれぞれオフ状態及びオン状態として、前記第１のステップで設定された前記第１のトランジスタの導通状態を減ずるような電荷量を前記容量素子に供給する第２のステップと、を備える。
【００５４】
これによれば、第２のステップにおいて、第１のステップで信号に応じて設定された第１のトランジスタの導通状態を減ずるように変化させた状態で、次の第１のステップにおいて、容量素子に信号、例えばデータ電流に応じた電荷を書き込むことができる。このため、データ電流が小さい場合でも、データ電流を書き込むのに要する時間を短くすることができる。その結果、データ線の配線容量等による影響を抑制することができ、動画表示を行う場合に疑似輪郭、像のずれなどの発生が抑制され、動画特性を向上することができる。また、第１のトランジスタの導通状態を減ずるように変化させるために、トランジスタや回路を特別に設ける必要がなく、第３のトランジスタ及び第２のトランジスタのオン、オフを制御するだけでよい。
【００５５】
本発明における電気光学装置の駆動方法は、 第１の副走査線と第２の副走査線をそれぞれ有するｎ行の走査線と、ｍ列のデータ線と、電源線と、前記走査線と前記データ線の交差部に対応してｎ行ｍ列に配置された複数の単位回路と、を備えた電気光学装置の駆動方法であって、前記複数の単位回路の各々は、第１の端子と第２の端子を備えた第１のトランジスタと、第３の端子と第４の端子を備えた第２のトランジスタと、前記第１のトランジスタの第１の制御用端子及び前記第２のトランジスタの第２の制御用端子に共通に接続された容量素子と、前記第２のトランジスタの前記第３の端子と前記第２の制御用端子との電気的な接続を制御する、第５の端子と第６の端子を備えた第３のトランジスタと、第７の端子と第８の端子を備えた第４のトランジスタと、前記第１のトランジスタに接続された電気光学素子と、を備え、前記第３のトランジスタの第３の制御用端子は前記ｎ行の走査線の一つの前記第２の副走査線に接続され、前記第４のトランジスタの第４の制御用端子及び前記第８の端子はそれぞれ前記ｎ行の走査線の一つの前記第１の副走査線及び前記ｍ列のデータ線の一つに接続されており、前記第３のトランジスタ及び第４のトランジスタが共にオン状態となっている間に前記ｍ列のデータ線の一つを介して供給されるデータ信号を前記容量素子に電荷として蓄積し、前記第２のトランジスタ及び前記第１のトランジスタの導通状態を前記データ信号に応じて設定する第１のステップと、前記第４のトランジスタ及び第３のトランジスタをそれぞれオフ状態及びオン状態として、前記第１のステップで設定された前記第２のトランジスタ及び前記第１のトランジスタの導通状態を減ずるような電荷量を前記容量素子に供給する第２のステップと、備える。
【００５６】
これによれば、第２のステップにおいて、第１のステップでデータ信号に応じて設定された第１のトランジスタの導通状態を減ずるように変化させた状態で、次の第１のステップにおいて、容量素子にデータ信号、例えばデータ電流に応じた電荷を書き込むことができる。このため、データ電流が小さい場合でも、データ電流を書き込むのに要する時間を短くすることができる。その結果、データ線の配線容量等による影響を抑制することができ、動画表示を行う場合に疑似輪郭、像のずれなどの発生が抑制され、動画特性を向上することができる。また、第１のトランジスタの導通状態を減ずるように変化させるために、トランジスタや回路を特別に設ける必要がなく、第３のトランジスタ及び第２のトランジスタのオン、オフを制御するだけでよい。
【００５７】
本発明における電気光学装置の駆動方法は、前記電気光学素子は赤色、緑色及び青色でそれぞれ発光する３種類の発光素子であり、前記ｎ行の走査線の各々に接続された単位回路は、前記３種類の発光素子のうち、同色で発光する１種類の発光素子を含む。
【００５８】
これによれば、各走査線には、赤色、緑色及び青色でそれぞれ発光する３種類の発光素子のうち、同色で発光する発光素子が接続されているので、各走査線毎に発光素子の発光を停止させるタイミングを変えることにより、発光素子の発光期間を色毎に適宜変更することができる。これにより、経年変化などによる色バランスの変化を容易に調整することができる。
【００５９】
この電気光学装置の駆動方法において、１フレーム期間に前記ｎ行の走査線を順に一つずつ選択する垂直走査を少なくとも２回行い、１回目の垂直走査では、前記ｎ行の走査線のうち奇数行或いは偶数行のいずれか一方の走査線の選択時に、前記複数の単位回路のうち選択された一つの走査線に接続された一行分の単位回路の前記第１のトランジスタの導通状態を前記データ信号に応じて設定するとともに、前記奇数行或いは偶数行のいずれか他方の走査線の選択時に、選択された一つの走査線に接続された一行分の単位回路の前記第２のトランジスタをオン状態にすることで前記第１のトランジスタをオフ状態とし、２回目の垂直走査では、前記ｎ行の走査線のうち奇数行或いは偶数行のいずれか他方の走査線の選択時に、選択された一つの走査線に接続された一行分の単位回路の前記第１のトランジスタの導通状態を前記データ信号に応じて設定し、前記奇数行或いは偶数行のいずれか一方の走査線の選択時に、選択された一つの走査線に接続された一行分の単位回路の前記第２のトランジスタをオン状態にすることで前記第１のトランジスタをオフ状態とする。
【００６０】
これによれば、インタレース型の垂直走査を行って１フレームの画像を構成することにより、各走査線を選択して第１のトランジスタをオン状態とし、電気光学素子を動作状態にするセット期間が集中することなく分散されるため、回路の負荷が軽減される。また、各走査線を選択して第１のトランジスタをオフ状態とし、電気光学素子の動作を停止させるリセット期間も集中することなく分散されるため、回路の負荷が軽減される。こうして回路の負荷を軽減できるので、その負荷が軽減された分、大きめの電流値のデータ信号を供給できるようになる。このため、データ線の配線容量等による動作の遅延をより一層低減することができ、セット期間をより短くすることができる。したがって、高速でのデータ書き込みが可能になるとともに、データ電流が小さい場合でも、データ書込み時間をより短縮して動作の遅延をより低減することができ、動画特性をさらに向上することができる。
【００６１】
この電気光学装置の駆動方法において、１フレーム期間に、前記複数の単位回路のうち選択された一つの走査線に接続された一行分の単位回路の前記第１のトランジスタの導通状態を前記データ信号に応じて設定するセット動作と、前記一行分の単位回路の前記第２のトランジスタをオン状態にすることで前記第１のトランジスタをオフ状態にして前記発光素子の発光を停止させるリセット動作とを、前記走査線を選択する毎に交互に行なう。
【００６２】
これによれば、上述したような飛び越し走査型の垂直走査を行って１フレームの画像を構成することにより、各走査線を選択して第１のトランジスタの導通状態を設定し、電気光学素子を動作させるセット期間が集中することなく分散されるため、回路の負荷が軽減される。また、各走査線を選択して第１のトランジスタをオフ状態とし、電気光学素子の動作を停止させるリセット期間も集中することなく分散されるため、回路の負荷が軽減される。こうして回路の負荷を軽減できるので、その負荷が軽減された分、大きめの電流値のデータ信号を供給できるようになる。このため、データ線の配線容量による動作の遅延をより一層低減することができ、セット期間をより短くすることができる。したがって、高速でのデータ書き込みが可能になり、データ電流が小さい場合でも、データ書込み時間をより短縮して動作の遅延をより低減することができ、動画特性をさらに向上することができる。
【００６３】
この電気光学装置の駆動方法において、前記セット動作がなされる走査線と前記リセット動作がなされる走査線とをそれぞれ、前記複数の走査線から順に選択する。
【００６４】
これによれば、最初にリセット動作がなされる走査線を適宜選択することにより、電気光学素子の動作期間を変更することができる。これにより、最適な動画特性が得られる電気光学素子の動作期間を容易に設定することができる。
【００６５】
本発明における電子回路の駆動方法は、第１の端子と第２の端子を備えた第１のトランジスタと、前記１のトランジスタの第１の制御用端子に接続された容量素子と、前記第１の端子と前記容量素子との電気的な接続を制御する、第３の端子と第４の端子を備えた第２のトランジスタと、前記第４の端子と前記容量素子を介して電気的に接続されかつ前記第１のトランジスタの第２の端子と電気的に接続され、第５の端子と第６の端子を備えた第３のトランジスタと、前記第２の端子に接続された第７の端子と第８の端子を備えた第４のトランジスタと、を備えた電子回路の駆動方法であって、前記第２のトランジスタ及び前記第３のトランジスタをオン状態とし、前記第６の端子及び前記第５の端子を介して信号を供給し、前記容量素子に前記信号に応じた電荷を蓄積し、前記第１のトランジスタの導通状態を前記信号に応じて設定する第１のステップと、前記第４のトランジスタをオフ状態とすることにより前記第１のステップで設定された前記第１のトランジスタの導通状態を変化させる第２のステップと、を含む。
【００６６】
これによれば、第１のステップにおいて、第２及び第３のトランジスタをオン状態として容量素子に信号に応じた電荷を蓄積し、第１のトランジスタの導通状態を信号に応じて設定する。その後、第２のステップにおいて、前記第４のトランジスタをオフ状態とすることにより第１のステップで設定された第１のトランジスタの導通状態を変化させることができる。これにより、第１のステップで信号に応じて設定された第１のトランジスタの導通状態を第２のステップで変化させた状態で、次の第１のステップにおいて、容量素子に信号、例えばデータ電流に応じた電荷を書き込むことができる。このため、データ電流が小さい場合でも、データ電流を書き込むのに要する時間を短くすることができる。その結果、データ線の配線容量等による影響を抑制することができ、動画表示を行う場合に疑似輪郭、像のずれなどの発生が抑制され、動画特性を向上することができる。また、第１のトランジスタの導通状態を変化させるために、トランジスタや回路を特別に設ける必要がなく、第４のトランジスタのオン、オフを制御するだけでよい。したがって、トランジスタや回路を特別に設けることなく、低輝度の階調に対応するデータを書き込む場合でもデータ書込み時間を短縮して動作の遅延を低減することができる。
【００６７】
本発明における電子装置の駆動方法は、複数の第１の信号線と、複数の第２の信号線と、複数の第３の信号線と、電源線と、複数の単位回路とを備えた電子装置の駆動方法であって、前記複数の単位回路の各々は、第１の端子と第２の端子を備えた第１のトランジスタと、前記１のトランジスタの第１の制御用端子に接続された容量素子と、前記第１の端子と前記容量素子との電気的な接続を制御する、第３の端子と第４の端子を備えた第２のトランジスタと、前記第４の端子と前記第１のトランジスタの第１の制御用端子に前記容量素子を介して電気的に接続され、第５の端子と第６の端子を備えた第３のトランジスタと、前記第２の端子に接続された第７の端子と第８の端子を備えた第４のトランジスタと、を備え、前記第２のトランジスタの第２の制御用端子は前記複数の第２の信号線の一つに接続され、前記第３のトランジスタの第３の制御用端子及び前記第６の端子はそれぞれ前記複数の第１の信号線の一つ及び前記複数の第３の信号線の一つに接続されており、前記第２のトランジスタ及び第３のトランジスタが共にオン状態となっている間に前記第３の信号線の一つを介して供給される信号を前記容量素子に電荷として蓄積し、前記第１のトランジスタの導通状態を前記信号に応じて設定する第１のステップと、前記第４のトランジスタをオフ状態とする第２のステップと、を備える。
【００６８】
これによれば、第２のステップにおいて、第１のステップで信号に応じて設定された第１のトランジスタの導通状態を減ずるように変化させた状態で、次の第１のステップにおいて、容量素子に信号、例えばデータ電流に応じた電荷を書き込むことができる。このため、データ電流が小さい場合でも、データ電流を書き込むのに要する時間を短くすることができる。その結果、データ線の配線容量等による影響を抑制することができ、動画表示を行う場合に疑似輪郭、像のずれなどの発生が抑制され、動画特性を向上することができる。また、第１のトランジスタの導通状態を減ずるように変化させるために、トランジスタや回路を特別に設ける必要がなく、第４のトランジスタのオン、オフを制御するだけでよい。
【００６９】
本発明における電気光学装置の駆動方法は、第１の副走査線と第２の副走査線をそれぞれ有するｎ行の走査線と、ｍ列のデータ線と、電源線と、前記走査線と前記データ線の交差部に対応してｎ行ｍ列に配置された複数の単位回路と、を備えた電気光学装置の駆動方法であって、前記複数の単位回路の各々は、第１の端子と第２の端子を備えた第１のトランジスタと、前記１のトランジスタの第１の制御用端子に接続された容量素子と、前記第１の端子と前記容量素子との電気的な接続を制御する、第３の端子と第４の端子を備えた第２のトランジスタと、前記第４の端子と前記第１のトランジスタの第１の制御用端子に前記容量素子を介して電気的に接続され、第５の端子と第６の端子を備えた第３のトランジスタと、前記第２の端子に接続された第７の端子と第８の端子を備えた第４のトランジスタと、前記第１のトランジスタに接続された電気光学素子と、を備え、前記第２のトランジスタの第２の制御用端子は前記ｎ行の走査線の一つの前記第２の副走査線に、前記第３のトランジスタの第３の制御用端子は前記ｎ行の走査線の一つの前記第１の副走査線に接続され、そして前記第６の端子は前記ｍ列のデータ線の一つに接続され、前記第２のトランジスタ及び第３のトランジスタが共にオン状態となっている間に前記複数のデータ線の一つを介して供給されるデータ信号を前記容量素子に電荷として蓄積し、前記第１のトランジスタの導通状態を前記データ信号に応じて設定する第１のステップと、前記第４のトランジスタをオフ状態とする第２のステップと、を備える。
【００７０】
これによれば、第２のステップにおいて、第１のステップでデータ信号に応じて設定された第１のトランジスタの導通状態を減ずるように変化させた状態で、次の第１のステップにおいて、容量素子にデータ信号、例えばデータ電流に応じた電荷を書き込むことができる。このため、データ電流が小さい場合でも、データ電流を書き込むのに要する時間を短くすることができる。その結果、データ線の配線容量等による影響を抑制することができ、動画表示を行う場合に疑似輪郭、像のずれなどの発生が抑制され、動画特性を向上することができる。また、第１のトランジスタの導通状態を減ずるように変化させるために、トランジスタや回路を特別に設ける必要がなく、第４のトランジスタのオン、オフを制御するだけでよい。
【００７１】
本発明における電子機器は、請求項１乃至３５のいずれか一つに記載の駆動方法を用いた。
これによれば、データ線の配線容量等による影響を抑制することができ、動画表示を行う場合に疑似輪郭、像のずれなどの発生が抑制され、動画特性を向上することができる。また、電力負荷を低減でき安定し高速動作か可能となる。
【００７２】
【発明の実施の形態】
以下、本発明を具体化した各実施形態を図面に基づいて説明する。
（第１実施形態）
本発明に係る電子装置または電気光学装置の駆動方法を有機ＥＬディスプレイに適用した第１実施形態について図１〜図４に基づいて説明する。
【００７３】
図１は、電子装置または電気光学装置としての有機ＥＬディスプレイ１０の回路構成を示すブロック回路図を示す。図２は、表示パネル部とデータ線駆動回路の内部回路構成を示すブロック回路図を示す。図３は、画素回路の内部回路構成を示す回路図を示す。
【００７４】
図１において、有機ＥＬディスプレイ１０は、表示パネル部１１、データ線駆動回路１２、走査線駆動回路１３、メモリ回路１４、発振回路１５、電源回路１６及び制御回路１７を備えている。
【００７５】
有機ＥＬディスプレイ１０の各要素１１〜１７は、それぞれが独立した電子部品によって構成されていてもよい。例えば、各要素１２〜１７が１チップの半導体集積回路装置によって構成されていてもよい。また、各要素１１〜１７の全部若しくは一部が一体となった電子部品として構成されていてもよい。例えば、表示パネル部１１に、データ線駆動回路１２と走査線駆動回路１３とが一体的に形成されていてもよい。各構成要素１１〜１６の全部若しくは一部がプログラマブルなＩＣチップで構成され、その機能がＩＣチップに書き込まれたプログラムによりソフトウェア的に実現されてもよい。
【００７６】
表示パネル部１１は、図２に示すように、列方向に沿ってのびるｍ列のデータ線Ｘ１〜Ｘｍ（ｍは整数）と、行方向に沿ってのびるｎ行の走査線Ｙ１〜Ｙｎ（ｎは整数）との交差部に対応する位置にｎ行ｍ列に配列された複数の（ｎ×ｍ個の）画素回路２０を有している。各画素回路２０が単位回路または電子回路に相当する。なお、図２では、データ線Ｘ１〜Ｘｍのうちデータ線Ｘ１〜Ｘ９のみを示しているとともに、走査線Ｙ１〜Ｙｎのうち走査線Ｙ１〜Ｙ９のみを示している。各画素回路２０は、電子素子、電気光学素子または発光素子としての有機ＥＬ素子２１を有している。有機ＥＬ素子２１は、駆動電流が供給されることによって発光する発光素子である。
【００７７】
画素回路２０には、赤、緑及び青用画素回路２０Ｒ，２０Ｇ，２０Ｂの３種類の画素回路がある。赤用画素回路２０Ｒ，緑用画素回路２０Ｇ及び青用画素回路２０Ｂは、有機材料で構成された発光層から赤色，緑色及び青色の光をそれぞれ放射する有機ＥＬ素子２１を有している。赤、緑及び青用画素回路２０Ｒ，２０Ｇ，２０Ｂを一つの組としてその１組が１画素を構成している。
【００７８】
また、図２に示すように、各走査線Ｙ１〜Ｙｎには、同色の画素回路２０が接続されている。例えば、 本実施形態では、走査線Ｙ１，Ｙ４，Ｙ７，Ｙ１０…にはｍ個の赤用画素回路２０Ｒが、走査線Ｙ２，Ｙ５，Ｙ８，Ｙ１１…にはｍ個の緑用画素回路２０Ｇが、走査線Ｙ３，Ｙ６，Ｙ９，Ｙ１２…にはｍ個の青用画素回路２０Ｂがそれぞれ接続されている。
【００７９】
走査線Ｙ１，Ｙ４，Ｙ７，Ｙ１０…のいずれか一つが選択されると、選択された走査線には多値のデータとしての赤用データ信号ＩＤＲがデータ線Ｘ１〜Ｘｍを介して供給される。走査線Ｙ２，Ｙ５，Ｙ８，Ｙ１１…のいずれか一つが選択されると、選択された走査線には多値のデータとしての緑用データ信号ＩＤＧがデータ線Ｘ１〜Ｘｍを介して供給される。そして、走査線Ｙ３，Ｙ６，Ｙ９，Ｙ１２…のいずれか一つが選択されると、選択された走査線には、多値のデータとしての青用データ信号ＩＤＢがデータ線Ｘ１〜Ｘｍを介して供給されるようになっている。なお、各画素回路２０Ｒ，２０Ｇ，２０Ｂ内に形成される後述する各トランジスタは、通常は薄膜トランジスタ（ＴＦＴ）で構成される。
【００８０】
図３に示すように、各画素回路２０Ｒ，２０Ｇ，２０Ｂは、ドレイン（第１の端子）とソース（第２の端子）を備えた第１のトランジスタとしての駆動用トランジスタＱｄと、同トランジスタのゲート（第１の制御用端子）に接続された容量素子としての保持キャパシタＣ１とを備える。また、各画素回路２０Ｒ，２０Ｇ，２０Ｂは、駆動用トランジスタＱｄのドレインと保持キャパシタＣ１の電気的な接続を制御する、ソース（第３の端子）とドレイン（第４の端子）を備えた第２のトランジスタとしての第２スイッチングトランジスタＱｓｗ２を備える。さらに、各画素回路２０Ｒ，２０Ｇ，２０Ｂは、ドレイン（第５の端子）とソース（第６の端子）を備えた第３のトランジスタとしての第１スイッチングトランジスタＱｓｗ１と、開始トランジスタＱｓｔと、有機ＥＬ素子２１とを備えている。
【００８１】
駆動用トランジスタＱｄはＰチャンネル型ＦＥＴより構成されている。第１及び第２スイッチングトランジスタＱｓｗ１，Ｑｓｗ２及び開始トランジスタＱｓｔは、それぞれＮチャンネル型ＦＥＴより構成されている。
【００８２】
駆動用トランジスタＱｄは、そのドレインが開始トランジスタＱｓｔを介して有機ＥＬ素子２１の陽極に接続され、そのソースが電源線Ｌ１に接続されている。つまり、駆動用トランジスタＱｄのソース（第２の端子）は、電気的に所定の電位としての電源電圧Ｖｄｄに接続されている。有機ＥＬ素子２１の陰極は接地されている。電源線Ｌ１には、有機ＥＬ素子２１を駆動させるための電源電圧Ｖｄｄが供給されている。駆動用トランジスタＱｄのゲートと電源線Ｌ１との間には、容量素子としての保持キャパシタＣ１が接続されている。
【００８３】
また、駆動用トランジスタＱｄのゲートは、第２スイッチングトランジスタＱｓｗ２のドレインに接続されている。第２スイッチングトランジスタＱｓｗ２のソースは、第１スイッチングトランジスタＱｓｗ１のドレインに接続されている。また、第１スイッチングトランジスタＱｓｗ１のドレインは駆動用トランジスタＱｄのドレインに接続されている。さらに、第１スイッチングトランジスタＱｓｗ１のソースは、データ線Ｘｍに接続されている。
【００８４】
また、走査線Ｙ１〜Ｙｎは、それぞれ第１の副走査線Ｙ１１〜Ｙｎ１と、第２の副走査線Ｙ１２〜Ｙｎ２と、第３の副走査線Ｙ１３〜Ｙｎ３とを有している。図３では、走査線Ｙｎと、同走査線を構成する３つの副走査線Ｙｎ１，Ｙｎ２及びＹｎ３のみを示してある。第１スイッチングトランジスタＱｓｗ１のゲート（第３の制御用端子）には、走査線Ｙ１〜Ｙｎのうち対応する走査線の第１の副走査線Ｙ１１〜Ｙｎ１の一つが接続されている。また、第２スイッチングトランジスタＱｓｗ２のゲート（第２の制御用端子）には、走査線Ｙ１〜Ｙｎのうち対応する走査線の第２の副走査線Ｙ１２〜Ｙｎ２の一つが接続されている。図３では、第１スイッチングトランジスタＱｓｗ１のゲートには走査線Ｙｎの第１の副走査線Ｙｎ１が、第２スイッチングトランジスタＱｓｗ２のゲートには走査線Ｙｎの第２の副走査線Ｙｎ２がそれぞれ接続されている。
【００８５】
そして、走査線Ｙ１〜Ｙｎのうち一つ、例えば走査線Ｙｎが選択されると、第１の副走査線Ｙｎ１，Ｙｎ２をそれぞれ介して供給されるＨレベル（ハイレベル）の第１走査信号ＳＣｎ１，Ｈレベルの第２走査信号ＳＣｎ２によって第１，第２スイッチングトランジスタＱｓｗ１，Ｑｓｗ２がオンするようになっている。さらに、開始トランジスタＱｓｔのゲートには、走査線Ｙ１〜Ｙｎのうち対応する走査線（図３では走査線Ｙｎ）の第３の副走査線Ｙ１３〜Ｙｎ３のいずれか一つ（図３では副走査線Ｙｎ３）が接続されている。そして、第３の副走査線Ｙｎ３から出力されるＨレベルの第３走査信号ＳＣｎ３によって開始トランジスタＱｓｔはオンされるようになっている。
【００８６】
ここで、上記のように構成された各画素回路２０（２０Ｒ，２０Ｇ，２０Ｂ）の動作を簡単に説明する。各画素回路２０Ｒ，２０Ｇ，２０Ｂは同じ動作をするので、ここでは走査線Ｙ１〜Ｙｎのいずれか一つが選択されるときの各画素回路２０の動作に代えて、走査線Ｙ１が選択されるときの各赤用画素回路２０Ｒの動作を図３及び図４に基づいて説明する。
【００８７】
走査線Ｙ１が選択されると、図４のセット期間Ｔｓに、各赤用画素回路２０Ｒの両トランジスタＱｓｗ１，Ｑｓｗ２の各ゲートにＨレベルの第１走査信号ＳＣ１１，Ｈレベルの第２走査信号ＳＣ１２が第１の副走査線Ｙ１１，第２の副走査線Ｙ１２をそれぞれ介して入力される。これにより、両トランジスタＱｓｗ１，Ｑｓｗ２がそれぞれオン状態となる。このとき、データ線Ｘｍから赤用データ信号ＩＤＲが各赤用画素回路２０Ｒに供給され、赤用データ信号ＩＤＲに応じた電荷量が保持キャパシタＣ１に保持される。その結果、駆動用トランジスタＱｄのゲートに印加される電圧は、赤用データ信号ＩＤＲの電流値で設定される輝度階調に応じた電圧となる。
【００８８】
この後、第１走査信号ＳＣ１１，第２走査信号ＳＣ１２がそれぞれＨレベルからＬレベル（ローレベル）になるとともに、第３走査信号ＳＣ１３がＬレベルからＨレベルになる。これにより、両トランジスタＱｓｗ１，Ｑｓｗ２及び開始トランジスタＱｓｔがオン状態となり、駆動用トランジスタＱｄは保持キャパシタＣ１に保持された電荷量により設定されるゲート電圧に対応した導通状態となる。このとき、その導通状態に応じた駆動電流、つまり赤用データ信号ＩＤＲの電流値に応じた駆動電流が有機ＥＬ素子２１に流れ、有機ＥＬ素子２１がその駆動電流に応じた輝度階調で発光し始め、この後も発光し続ける。
【００８９】
こうして、走査線Ｙ１が選択されることで、走査線Ｙ１に接続された各赤用画素回路２０Ｒでは、図４で示すセット期間Ｔｓに、駆動用トランジスタＱｄをオン状態に設定して、赤用データ信号ＩＤＲの電流値で設定される輝度階調で有機ＥＬ素子２１を発光させる。なお、以下の説明で、各画素回路２０の駆動用トランジスタＱｄをオン状態に設定して、有機ＥＬ素子２１の発光を開始させる動作を「セット動作」という。
【００９０】
この後、図４のリセット期間Ｔｒに、走査線Ｙ１に接続された各赤用画素回路２０Ｒの第１スイッチングトランジスタＱｓｗ１をオフさせたままの状態で、第２スイッチングトランジスタＱｓｗ２をオン状態とする。つまり、前記セット期間Ｔｓ後に第１走査信号ＳＣ１１，第２走査信号ＳＣ１２をそれぞれＬレベルに維持した状態で、リセット期間Ｔｒに、第２走査信号ＳＣ１２のみをＬレベルからＨレベルにする。これにより、所定の電位である電源電圧Ｖｄｄと保持キャパシタＣ１が駆動用トランジスタＱｄ及び第２スイッチングトランジスタＱｓｗ２を介して電気的に接続される。その結果、上記電荷量を保持していた各赤用画素回路２０Ｒの保持キャパシタＣ１はＶｄｄ−Ｖｔｈ（Ｖｔｈは駆動用トランジスタＱｄの閾値電圧）以上のリセット電圧にリセットされる。これにより、駆動用トランジスタＱｄはオフ状態となり、有機ＥＬ素子２１への電流の供給が遮断され、有機ＥＬ素子２１は発光を停止する。なお、以下の説明で、保持キャパシタＣ１の電荷量を上記リセット電圧にして各画素回路２０の有機ＥＬ素子２１の発光を停止させる動作を「リセット動作」或いは「リセット」という。
【００９１】
こうしてリセットされた各赤用画素回路２０Ｒの有機ＥＬ素子２１は、次のフレームのセット期間Ｔｓに上記セット動作がなされるまで、非発光の状態にある。つまり、その赤用画素回路２０Ｒの画素は非発光の状態（ノーマリブラックの場合には暗状態）にあり、各赤用画素回路２０Ｒの保持キャパシタＣ１は上記リセット電圧の電荷量にリセットされた状態で次のセット期間Ｔｓの開始を待つ。このとき、各赤用画素回路２０Ｒの開始トランジスタＱｓｔをオンさせておいてもよいし、十分に有機ＥＬ素子２１を非発光の状態にするために、オフさせておいてもよい。
【００９２】
以上説明した走査線Ｙ１が選択されるときの各赤用画素回路２０Ｒの動作は、他の走査線Ｙ１〜Ｙｎが選択されるときの各赤用画素回路２０Ｒ，各緑用画素回路２０Ｇ及び各青用画素回路２０Ｂにも同様に当てはまる。
【００９３】
このように、本実施形態における各画素回路２０の駆動方法は、次の第１のステップと、第２のステップとを備える。
（第１のステップ）両トランジスタＱｓｗ１，Ｑｓｗ２を共にオン状態とする。この状態で、第３の信号線としてのデータ線Ｘ１〜Ｘｍの一つを介して供給されるデータ信号ＩＤＲを、第１スイッチングトランジスタＱｓｗ１のソース及びドレインを介して保持キャパシタＣ１に供給し、保持キャパシタＣ１に電荷として蓄積する。これにより、駆動用トランジスタＱｄの導通状態をデータ信号ＩＤＲに応じて設定する。
【００９４】
（第２ステップ）両トランジスタＱｓｗ１，Ｑｓｗ２をそれぞれオフ状態及びオン状態として、前記第１のステップで設定された駆動用トランジスタＱｄの導通状態を変化させる。ここでは、駆動用トランジスタＱｄをオフ状態とする。なお、駆動用トランジスタＱｄをオフ状態とする代わりに、第１のステップで設定された駆動用トランジスタＱの導通状態を減ずるような電荷量を保持キャパシタＣ１に供給するようにしてもよい。ここにいう、「駆動用トランジスタＱの導通状態を減ずる」とは、駆動用トランジスタＱｄのゲートに印加される電圧を前記リセット電圧（Ｖｄｄ−Ｖｔｈ）に近づく方向に変化させて、その導電率を小さくすることをいう。
【００９５】
データ線駆動回路１２は、図２に示すように、各データ線Ｘ１〜Ｘｍに対して単一ライン駆動回路３０をそれぞれ備えている。各単一ライン駆動回路３０は、各データ線Ｘ１〜Ｘｍを介して赤、緑及び青用画素回路２０Ｒ，２０Ｇ，２０Ｂに赤、緑及び青用データ信号ＩＤＲ，ＩＤＧ，ＩＤＢをそれぞれ供給する。赤、緑及び青用画素回路２０Ｒ，２０Ｇ，２０Ｂは、各データ信号ＩＤＲ，ＩＤＧ，ＩＤＢに応じて内部状態（保持キャパシタＣ１の電荷量）が設定されると、これに応じて有機ＥＬ素子２１に流れる電流値が制御される。
【００９６】
各単一ライン駆動回路３０は、データ電流生成回路３０ａを備えている。このデータ電流生成回路３０ａは、走査線Ｙ１〜Ｙｎのいずれか一つが選択されると、選択された走査線に対応する赤、緑及び青用データ信号ＩＤＲ，ＩＤＧ，ＩＤＢのいずれか一つをデータ線Ｘ１〜Ｘｍのいずれか一つを介して供給するようになっている。例えば走査線Ｙ１が選択されると、赤用データ信号ＩＤＲをデータ線Ｘ１を介して供給するようになっている。なお、各単一ライン駆動回路３０のデータ電流生成回路３０ａが生成する赤、緑及び青用データ信号ＩＤＲ，ＩＤＧ，ＩＤＢは多値のデータであって、本実施形態では、６４通りの電流値のデータ信号である。
【００９７】
走査線駆動回路１３は、１フレーム期間にｎ行の走査線Ｙ１〜Ｙｎを順に一つずつ選択する垂直走査を少なくとも２回行う。
１回目の垂直走査では、ｎ行の走査線Ｙ１〜Ｙｎを順に一つずつ選択し図４のセット期間Ｔｓに上記セット動作を行う。つまり、ｎ×ｍ個の画素回路２０（２０Ｒ，２０Ｇ，２０Ｂ）のうち選択された一つの走査線に接続された各画素回路２０（一行分の画素回路）の両トランジスタＱｓｗ１，Ｑｓｗを、上述したようにそれぞれオン状態にして、駆動用トランジスタＱｄの導通状態をデータ信号に応じて設定する。これにより、ｎ行の走査線Ｙ１〜Ｙｎにそれぞれ接続されたｎ行の画素回路２０の各有機ＥＬ素子２１を行毎に順に発光させるようになっている。なお、ここでは「ｎ行の走査線Ｙ１〜Ｙｎを順に一つずつ選択する」とは、第１の副走査線Ｙ１１及び第２の副走査線Ｙ１２、第１の副走査線Ｙ２１及び第２の副走査線Ｙ２２、・・・第１の副走査線Ｙｎ１及び第２の副走査線Ｙｎ２を順に選択することを意味する。そして、選択する第１及び第２の副走査線、例えば第１の副走査線Ｙ１１及び第２の副走査線Ｙ１２には、Ｈレベルの第１走査信号ＳＣ１１及びＨレベルの第２走査信号ＳＣ１２をそれぞれ供給して、両トランジスタＱｓｗ１及び第２スイッチングトランジスタＱｓｗをそれぞれオン状態にする。
【００９８】
２回目の垂直走査では、ｎ行の走査線Ｙ１〜Ｙｎを順に一つずつ選択し、（ここでは各走査線の第２の副走査線Ｙ１２〜Ｙｎ２を順に一つずつ選択し、）図４のリセット期間Ｔｒに上記リセット動作を行う。つまり、ｎ×ｍ個の画素回路２０（２０Ｒ，２０Ｇ，２０Ｂ）のうち選択された一つの走査線に接続された各画素回路２０（一行分の画素回路）の両トランジスタＱｓｗ１，Ｑｓｗをそれぞれオフ状態，オン状態にして、各駆動用トランジスタＱｄをオフ状態に設定する。これにより、ｎ行の走査線Ｙ１〜Ｙｎにそれぞれ接続されたｎ行の画素回路２０の各有機ＥＬ素子２１の発光を行毎に順に停止させるようになっている。なお、ここでは「ｎ行の走査線Ｙ１〜Ｙｎを順に一つずつ選択する」とは、第１の副走査線Ｙ１１及び第２の副走査線Ｙ１２、第１の副走査線Ｙ２１及び第２の副走査線Ｙ２２、・・・第１の副走査線Ｙｎ１及び第２の副走査線Ｙｎ２を順に選択することを意味する。そして、選択する第１の副走査線、例えば第１の副走査線Ｙ１１に供給する第１走査信号ＳＣ１１はＬレベルのままにする。また、選択する第２の副走査線、例えば第２の副走査線Ｙ１２にはＨレベルの第２走査信号ＳＣ１２を供給する。これにより、両トランジスタＱｓｗ１及び第２スイッチングトランジスタＱｓｗをそれぞれオフ状態及びオン状態にする。
【００９９】
メモリ回路１４は、コンピュータ１８から供給される画像データを記憶する。発振回路１５は、基準動作信号を有機ＥＬディスプレイ１０の他の構成要素に供給する。電源回路１６は有機ＥＬディスプレイ１０の各構成要素の駆動電源を供給する。
【０１００】
制御回路１７は、表示パネル部１１及び各回路１２〜１６を統括制御する。制御回路１７は、表示パネル部１１の表示状態を表すメモリ回路１４に記憶した画像データを、各有機ＥＬ素子２１の発光の階調を表すマトリクスデータに変換する。マトリクスデータは、１行分の画素回路を選択するために第１及び第２走査信号ＳＣ１１〜ＳＣｎ１, ＳＣ１２〜ＳＣｎ２を出力する走査線Ｙ１〜Ｙｎを指定するための走査線制御信号ＣＴＳを含む。また、マトリクスデータは、行毎に選択される画素回路群の有機ＥＬ素子２１の輝度を設定するための前記赤、緑及び青用データ信号ＩＤＲ，ＩＤＧ，ＩＤＢを決定するデータ線制御信号ＣＴＤを含む。そして、走査線制御信号ＣＴＳは走査線駆動回路１３に供給され、また、データ線制御信号ＣＴＤはデータ線駆動回路１２に供給される。
【０１０１】
そして、制御回路１７は、走査線Ｙ１〜Ｙｎの選択動作を上述したように２回行なって１フレームの画像が形成されるようにデータ線駆動回路１２及び走査線駆動回路１３を制御するようになっている。
【０１０２】
次に、制御回路１７による有機ＥＬディスプレイ１０の駆動方法を図４に基づいて説明する。図４は、走査線Ｙ１〜Ｙｎの第１及び第２の副走査線Ｙ１１〜Ｙｎ１, Ｙ１２〜Ｙｎ２に出力される第１及び第２走査信号ＳＣ１１〜ＳＣｎ１, ＳＣ１２〜ＳＣｎ２のタイミングチャートを示す。
【０１０３】
垂直走査開始信号により１フレーム期間が開始されると、１回目の垂直走査が開始される。この１回目の垂直走査では、上述したように、ｎ×ｍ個の画素回路２０（２０Ｒ，２０Ｇ，２０Ｂ）のうち選択された一つの走査線に接続された一行分の画素回路２０の各駆動用トランジスタＱｄの導通状態をデータ信号に応じて設定する（上記セット動作を行う）。これにより、ｎ行の走査線Ｙ１〜Ｙｎにそれぞれ接続されたｎ行分の画素回路２０の各有機ＥＬ素子２１を行毎に順に発光させる。
【０１０４】
この後、２回目の垂直走査を行なう。この２回目の垂直走査では、上述したように、ｎ×ｍ個の画素回路２０（２０Ｒ，２０Ｇ，２０Ｂ）のうち選択された一つの走査線に接続された一行分の画素回路２０の各駆動用トランジスタＱｄを順にオフ状態に設定する。これにより、ｎ行の走査線Ｙ１〜Ｙｎにそれぞれ接続されたｎ行分の画素回路２０の各有機ＥＬ素子２１の発光を行毎に順に停止させる（上記リセット動作を行う）。こうして、１フレームの画像が形成される。
【０１０５】
このようにして、１フレーム期間に順次走査型の垂直走査を２回行い、１回目の垂直走査によりｎ行の走査線Ｙ１〜Ｙｎにそれぞれ接続された一行分の画素回路２０の各駆動用トランジスタＱｄの導通状態を順に設定する。これにより、ｎ行の走査線Ｙ１〜Ｙｎにそれぞれ接続されたｎ行分の画素回路２０の各有機ＥＬ素子２１を行毎に順に発光させて１フレームの画像が形成される。
【０１０６】
次に、上記第１実施形態に係る有機ＥＬディスプレイ１０の駆動方法の特徴を以下に記載する。
（１）図４のセット期間Ｔｓに、各画素回路２０（２０Ｒ，２０Ｇ，２０Ｂ）の駆動用トランジスタＱｄの導通状態をデータ信号に応じて設定することで、データ信号（ＩＤＲ，ＩＤＧ，ＩＤＢ）の電流値で設定される輝度階調で各画素回路２０の有機ＥＬ素子２１を発光させることができる。
【０１０７】
また、電気光学装置は、駆動用トランジスタＱｄのソース・ゲート間を事前に同トランジスタの閾値電圧にした後、発光階調に応じてデータ信号出力回路から供給されるデータ電流に応じた電圧を駆動用トランジスタＱｄのゲートに印加する方式である。この方式は、駆動用トランジスタＱｄの閾値電圧等の特性のバラツキを補償して、データ電流の値に対応した値の駆動電流で有機ＥＬ素子を駆動できる点で優れている。
【０１０８】
（２）各画素回路２０の有機ＥＬ素子２１の発光を開始させた後、図４のリセット期間Ｔｒに第２スイッチングトランジスタＱｓｗ２をオン状態とすることにより、電源電圧Ｖｄｄと保持キャパシタＣ１が駆動用トランジスタＱｄ及び第２スイッチングトランジスタＱｓｗ２を介して電気的に接続される。これにより、保持キャパシタＣ１はＶｄｄ−Ｖｔｈ以上のリセット電圧にリセットされて、駆動用トランジスタＱｄはオフ状態となり、有機ＥＬ素子２１への電流の供給が遮断されるので、有機ＥＬ素子２１の発光を短い時間で停止させることができる。
【０１０９】
（３）駆動用トランジスタＱｄをオフ状態にして有機ＥＬ素子２１の発光を停止した状態で、次のフレームを構成する際に、保持キャパシタＣ１にデータ信号、すなわちデータ電流に応じた電荷を書き込むことになる。
【０１１０】
つまり、保持キャパシタＣ１はＶｄｄ−Ｖｔｈ以上のリセット電圧によって事前に充電された状態にあるため、データ線Ｘｎの配線容量の影響は低く抑えられているので、保持キャパシタＣ１はセット時に短時間に所定の電荷量（データ値）に到達する。その結果、短時間に有機ＥＬ素子２１を設定した輝度階調で発光させることができる。このため、低輝度の階調の場合のようにデータ電流が小さい値である場合でも、データ電流を書き込むのに要する時間を短くすることができる。その結果、データ線の配線容量等による影響を抑制することができ、動画表示を行う場合に疑似輪郭、像のずれなどの発生が抑制され、動画特性を向上することができる。」
（４）駆動用トランジスタＱｄをオフ状態にするために、トランジスタや回路を特別に設ける必要がなく、第１，第２スイッチングトランジスタＱｓｗ１，Ｑｓｗ２のオン、オフを制御するだけでよい。したがって、リセット電圧を生成する電圧生成回路や保持キャパシタＣ１にリセット電圧を印加するためのトランジスタを増やさずに、低輝度の階調に対応するデータを書き込む場合でもデータ書込み時間を短縮して動作の遅延を低減することができる。つまり、１フレーム全期間を発光期間として使用する場合に比べて、書き込み電流レベルを相対的に高く設定することにより、寄生容量の影響を抑制することができる。
【０１１１】
（５）各画素回路２０の有機ＥＬ素子２１の発光期間が短くなるので、従来のように次のフレームに移るまで有機ＥＬ素子２１が発光し続ける場合よりも、消費電力を小さくすることができる。
【０１１２】
（６）データ書込み時間を短縮できるので、高速でのデータ書き込みが可能になる。
（７）図２に示すように、各走査線Ｙ１〜Ｙｎには、同色の画素回路２０が接続されているので、各走査線Ｙ１〜Ｙｎ毎に有機ＥＬ素子２１の発光を停止させるタイミングを変えることにより、有機ＥＬ素子２１の発光期間を色毎に適宜変更することができる。これにより、経年変化などによる色バランスの変化を容易に調整することができる。
【０１１３】
（８）リセットされた各画素回路２０の有機ＥＬ素子２１は、次のフレームのセット期間Ｔｓに上記セット動作がなされるまで、非発光の状態にある。つまり、各画素回路２０の画素は暗状態にあり、保持キャパシタＣ１は上記リセット電圧の電荷量にリセットされた状態で次のセット期間Ｔｓの開始を待つ。リセットされた各画素回路２０の有機ＥＬ素子２１は、次のフレームのセット期間Ｔｓに上記セット動作がなされるまで、非発光の状態にある。つまり、その赤用画素回路２０Ｒの画素は暗状態にあり、次のセット期間Ｔｓでセット動作がなされると、その画素は暗状態から画像が表示される。したがって、インパルス型の表示をすることができ、動画に適した有機ＥＬディスプレイ１０を実現することができる。
【０１１４】
（第２実施形態）
次に、第２実施形態に係る有機ＥＬディスプレイ１０の駆動方法を図５に基づいて説明する。上記第１実施形態では、１フレーム期間に順次走査型の垂直走査を２回行って１フレームの画像を構成するようにしているが、本実施形態では、インタレース型の垂直走査を行って１フレームの画像を構成する。図５は図４と同様のタイミングチャートである。
【０１１５】
制御回路１７による有機ＥＬディスプレイ１０の駆動方法を図５に基づいて説明する。
垂直走査開始信号により１フレーム期間が開始されると、１フレーム期間にｎ行の走査線Ｙ１〜Ｙｎを順に一つずつ選択する垂直走査を２回行う。
【０１１６】
１回目の垂直走査では、ｎ行の走査線Ｙ１〜Ｙｎのうち奇数行の走査線Ｙ１，Ｙ３，Ｙ５，・・・Ｙｎ−１の選択時に、上記セット動作を行う。つまり、図４で説明した１回目の垂直走査と同様に、複数の画素回路２０のうち選択された一つの走査線に接続された一行分の画素回路２０の各駆動用トランジスタＱｄの導通状態をデータ信号に応じて設定する。これにより、選択された一つの走査線に接続された各画素回路２０の有機ＥＬ素子２１の発光を開始させる。これとともに、偶数行の走査線Ｙ２，Ｙ４，Ｙ６，・・・Ｙｎ−２，Ｙｎの選択時に、上記リセット動作を行う。つまり、図４で説明した２回目の垂直走査と同様に、複数の画素回路２０のうち選択された一つの走査線に接続された一行分の画素回路２０の各第２スイッチングトランジスタＱｓｗ２をオン状態にする。これにより、導通状態に設定されている各駆動用トランジスタＱｄをオフ状態にして、選択された一つの走査線に接続された各画素回路２０の有機ＥＬ素子２１の発光を停止させる。
【０１１７】
２回目の垂直走査では、ｎ行の走査線Ｙ１〜Ｙｎのうち奇数行の走査線Ｙ１，Ｙ３，Ｙ５，・・・Ｙｎ−１の選択時に、上記リセット動作を行う。これにより、選択された一つの走査線に接続され、上記１回目の垂直走査で導通状態に設定された各一行分の画素回路２０の各駆動用トランジスタＱｄをオフ状態にして有機ＥＬ素子２１の発光を停止させる。これとともに、偶数行の走査線Ｙ２，Ｙ４，Ｙ６，・・・Ｙｎ−２，Ｙｎの選択時に、上記セット動作を行う。これにより、選択された一つの走査線に接続された一行分の画素回路２０の各駆動用トランジスタＱｄの導通状態をデータ信号に応じて設定し、各画素回路２０の有機ＥＬ素子２１の発光を開始させる。
【０１１８】
こうして、１回目の垂直走査では、ｎ行の走査線Ｙ１〜Ｙｎを順に一つずつ選択するとともに、奇数行の走査線選択時には上記セット動作を行い、偶数行の選択時には上記リセット動作を行う。この後の２回目の垂直走査では、１回目とは逆に、奇数行の走査線選択時にはリセット動作を行い、偶数行の選択時にはセット動作を行う。こうして１フレーム期間に２回の垂直走査を行うことにより、ｎ行の走査線Ｙ１〜Ｙｎの全てが、セット動作とリセット動作のために２回ずつ選択される。
【０１１９】
次に、先に述べた第１実施形態に係る有機ＥＬディスプレイの駆動方法の利点に加えて、上記第２実施形態に係る有機ＥＬディスプレイの駆動方法は以下に述べる利点を有する。
【０１２０】
（９）上述したようなインタレース型の垂直走査を行って１フレームの画像を構成することにより、各走査線Ｙ１〜Ｙｎを選択して上記セット動作を行うセット期間Ｔｓが集中することなく分散されるため、データ線駆動回路１２や走査線駆動回路１３などの回路の負荷が軽減される。また、各走査線Ｙ１〜Ｙｎを選択して上記リセット動作を行うリセット期間Ｔｒも集中することなく分散されるため、データ線駆動回路１２や走査線駆動回路１３などの回路の負荷が軽減される。
【０１２１】
（第３実施形態）
次に、第３実施形態に係る有機ＥＬディスプレイの駆動方法を図６に基づいて説明する。本実施形態では、飛び越し走査型の垂直走査を行って１フレームの画像を構成する。図６は図４と同様のタイミングチャートである。
【０１２２】
制御回路１７による有機ＥＬディスプレイ１０の駆動方法を図６に基づいて説明する。
垂直走査開始信号により１フレーム期間が開始されると、１フレーム期間に、走査線Ｙ１〜Ｙｎの一つを選択する毎に、上記セット動作とリセット動作を交互に行なう。つまり、一行分の画素回路２０の各駆動用トランジスタＱｄの導通状態をデータ信号に応じて設定するセット動作と、一行分の画素回路２０の各第２スイッチングトランジスタＱｓｗ２をオフ状態にして有機ＥＬ素子２１の発光を停止させるリセット動作とを、走査線を選択する毎に交互に行なう。これとともに、セット動作がなされる走査線とリセット動作がなされる走査線とをそれぞれ、複数の走査線Ｙ１〜Ｙｎから順に選択する。
【０１２３】
具体的には、本実施形態では、１フレーム期間が開始されると、複数の走査線Ｙ１〜Ｙｎは次の順に一つずつ選択されるとともに、走査線を選択する毎にセット動作とリセット動作を交互に行なう。すなわち、Ｙ１（ｓ）→Ｙ３（ｒ）→Ｙ２（ｓ）→Ｙ４（ｒ）→Ｙ３（ｓ）→Ｙ５（ｒ）→Ｙ４（ｓ）→Ｙ６（ｒ）→Ｙ５（ｓ）→Ｙ７（図示略：（ｒ））→Ｙ６（ｓ）→・・・，Ｙｎ−１（ｓ）→Ｙ１（ｒ）→Ｙｎ（ｓ）→Ｙ２（ｒ）の順に選択されて１順する。ここで、ｓ，ｒはそれぞれセット動作，リセット動作を表している。この１順で、全ての走査線Ｙ１〜Ｙｎは、それぞれ２回ずつ選択されることになる。
【０１２４】
このようにして、走査線を選択する毎にセット動作とリセット動作を交互に行なう。また、セット動作がなされる走査線が走査線Ｙ１からＹｎまで順に選択されるとともに、リセット動作がなされる走査線が走査線Ｙ３からＹｎまで、さらにはＹ１，Ｙ２まで順に選択される。
【０１２５】
次に、上記第３実施形態に係る有機ＥＬディスプレイ１０の駆動方法の特徴を以下に記載する。
（１０）上述したような飛び越し走査型の垂直走査を行って１フレームの画像を構成することにより、各走査線Ｙ１〜Ｙｎを選択して上記セット動作を行うセット期間Ｔｓが集中することなく分散されるため、データ線駆動回路１２や走査線駆動回路１３などの回路の負荷が軽減される。また、各走査線Ｙ１〜Ｙｎを選択して上記リセット動作を行うリセット期間Ｔｒも集中することなく分散されるため、データ線駆動回路１２や走査線駆動回路１３などの回路の負荷が軽減される。
【０１２６】
（１１）本実施形態では、第１行目の走査線Ｙ１の次に選択されて最初にリセット動作がなされる走査線を第３行目の走査線Ｙ３としている。つまり、走査線Ｙ３が図６の符号Ａで示すタイミングで選択されてリセット動作がなされている。最初にリセット動作がなされる走査線を遅らせることにより、各画素回路２０の有機ＥＬ素子２１の発光期間を短くすることができる。例えば、最初にリセットされる走査線を、第４行目の走査線Ｙ４に変更して図６の符号Ａ´でリセット動作をすると、第１行目の走査線Ｙ１でリセット動作がなされるタイミング、すなわちリセット期間Ｔｒが符号Ｂで示す位置から符号Ｂ´で示す位置へ変化し、発光期間が短くなる。ここにいう「発光期間」とは、各画素回路２０において有機ＥＬ素子２１の発光が開始されてからその発光が停止するまでの期間をいう。したがって、最初にリセット動作がなされる走査線を適宜選択することにより、発光期間を変更することができる。
【０１２７】
（第４実施形態）
次に、本発明に係る電子装置または電気光学装置の駆動方法を有機ＥＬディスプレイに適用した第４実施形態について図７に基づいて説明する。図７は、上記第１実施形態で説明した有機ＥＬディスプレイ１０における画素回路の内部回路構成を示す回路図を示す。
【０１２８】
本実施形態は、図３に示す上記画素回路２０Ｒ，２０Ｇ，２０Ｂに代えて図７に示す画素回路２０´Ｒ，２０´Ｇ，２０´Ｂを用いて構成した有機ＥＬディスプレイ１０に本発明を適用したものである。その他の構成は、上記第１実施形態と同じである。したがって、第１実施形態と同様の部位には同一の符号を付して重複した説明を省略する。
【０１２９】
図７に示すように、各画素回路２０´Ｒ，２０´Ｇ，２０´Ｂは、ドレイン（第１の端子）とソース（第２の端子）を備えた第１のトランジスタとしての駆動用トランジスタＱｄと、第２のトランジスタとしての変換用トランジスタＱｃとを備える。変換用トランジスタＱｃは、駆動用トランジスタＱｄのゲート（第１の制御用端子）に接続されたゲート（第２の制御用端子）、ドレイン（第３の端子）及びソース（第４の端子）を備える。
【０１３０】
また、各画素回路２０´Ｒ，２０´Ｇ，２０´Ｂは、駆動用トランジスタＱｄのゲート及び変換用トランジスタＱｃのゲートに共通に接続された保持キャパシタＣ１と、第３のトランジスタとしての第２スイッチングトランジスタＱｓｗ２とを備える。この第２スイッチングトランジスタＱｓｗ２は、変換用トランジスタＱｃのドレインとゲートとの電気的な接続を制御するもので、ドレイン（第５の端子）とソース（第６の端子）を備える。
【０１３１】
さらに、各画素回路２０´Ｒ，２０´Ｇ，２０´Ｂは、ドレイン（第７の端子）とソース（第８の端子）を備えた第４のトランジスタとしての第１スイッチングトランジスタＱｓｗ１を備えている。
【０１３２】
ここで、各画素回路２０´Ｒ，２０´Ｇ，２０´Ｂの動作を簡単に説明する。ここでは、図３に基づいて上で説明した場合と同様に、走査線Ｙ１〜Ｙｎのいずれか一つ、例えば走査線Ｙ１が選択されるときの赤用画素回路２０´Ｒの動作のみを図７に基づいて説明する。
【０１３３】
走査線Ｙ１が選択されると、上記セット期間Ｔｓ（図４参照）に、各赤用画素回路２０´Ｒの両トランジスタＱｓｗ１，Ｑｓｗ２の各ゲートにＨレベルの第１走査信号ＳＣ１１，Ｈレベルの第２走査信号ＳＣ１２が第１の副走査線Ｙ１１，第２の副走査線Ｙ１２をそれぞれ介して入力される。これにより、両トランジスタＱｓｗ１，Ｑｓｗ２がそれぞれオン状態となる。このとき、データ線Ｘｍから赤用データ信号ＩＤＲが各赤用画素回路２０´Ｒに供給され、赤用データ信号ＩＤＲに応じた電荷量が保持キャパシタＣ１に保持される。その結果、駆動用トランジスタＱｄのゲートに印加される電圧は、赤用データ信号ＩＤＲの電流値で設定される輝度階調に応じた電圧となる。
【０１３４】
この後、第１走査信号ＳＣ１１，第２走査信号ＳＣ１２がそれぞれＨレベルからＬレベルになる。これにより、両トランジスタＱｓｗ１，Ｑｓｗ２が共にオン状態となり、駆動用トランジスタＱｄは保持キャパシタＣ１に保持された電荷量により設定されるゲート電圧に対応した導通状態となる。このとき、その導通状態に応じた駆動電流、つまり赤用データ信号ＩＤＲの電流値に応じた駆動電流が有機ＥＬ素子２１に流れ、有機ＥＬ素子２１がその駆動電流に応じた輝度階調で発光し始め、この後も発光し続ける。
【０１３５】
こうして、走査線Ｙ１が選択されることで、走査線Ｙ１に接続された各赤用画素回路２０´Ｒでは、セット期間Ｔｓに、変換用トランジスタＱｃ及び駆動用トランジスタＱｄの導通状態を赤用データ信号ＩＤＲに応じて設定して、その信号の電流値で設定される輝度階調で有機ＥＬ素子２１を発光させる（セット動作）。
【０１３６】
この後、第１スイッチングトランジスタＱｓｗ１をオフさせたままの状態で、上記リセット期間Ｔｒ（図４参照）に第２走査信号ＳＣ１２をＬレベルからＨレベルにして第２スイッチングトランジスタＱｓｗ２をオン状態とする。これにより、電源電圧Ｖｄｄと保持キャパシタＣ１が駆動用トランジスタＱｄ及び第２スイッチングトランジスタＱｓｗ２を介して電気的に接続される。その結果、上記電荷量を保持していた各赤用画素回路２０´Ｒの保持キャパシタＣ１はＶｄｄ−Ｖｔｈ以上のリセット電圧にリセットされる。これにより、駆動用トランジスタＱｄはオフ状態となり、有機ＥＬ素子２１への電流の供給が遮断され、有機ＥＬ素子２１は発光を停止する（リセット動作）。
【０１３７】
こうしてリセットされた赤用画素回路２０´Ｒの有機ＥＬ素子２１は、次のフレームのリセット期間Ｔｒに上記セット動作がなされるまで、非発光の状態にある。つまり、その赤用画素回路２０´Ｒの画素は非発光の状態（ノーマリブラックの場合には暗状態）にあり、各赤用画素回路２０´Ｒの保持キャパシタＣ１は上記リセット電圧の電荷量にリセットされた状態で次のセット期間Ｔｓの開始を待つ。
【０１３８】
以上説明した走査線Ｙ１が選択されるときの各赤用画素回路２０´Ｒの動作は、他の走査線Ｙ１〜Ｙｎが選択されるときの各赤用画素回路２０´Ｒ，各緑用画素回路２０´Ｇ及び各青用画素回路２０´Ｂにも同様に当てはまる。
【０１３９】
このように、本実施形態における各画素回路２０の駆動方法は、次の第１のステップと、第２のステップとを備える。
（第１のステップ）両トランジスタＱｓｗ１，Ｑｓｗ２を共にオン状態とする。この状態で、第３の信号線としてのデータ線Ｘ１〜Ｘｍの一つを介して供給されるデータ信号ＩＤＲを、第１スイッチングトランジスタＱｓｗ１のソース及びドレインを介して保持キャパシタＣ１に供給し、保持キャパシタＣ１に電荷として蓄積する。これにより、変換用トランジスタＱｃ及び駆動用トランジスタＱｄの導通状態をデータ信号ＩＤＲに応じて設定する。
【０１４０】
（第２のステップ）両トランジスタＱｓｗ１，Ｑｓｗ２をそれぞれオフ状態及びオン状態として、第１のステップで設定された変換用トランジスタＱｃ及び駆動用トランジスタＱｄの導通状態を変化させる。ここでは、例えば両トランジスタＱｃ，Ｑｄを共にオフ状態にする。なお、両トランジスタＱｄ，Ｑｃをオフ状態とする代わりに、第１のステップで設定された両トランジスタＱｃ，Ｑｄの導通状態を減ずるような電荷量を保持キャパシタＣ１に供給するようにしてもよい。
【０１４１】
次に、上記第４実施形態に係る有機ＥＬディスプレイ１０の駆動方法の特徴を以下に記載する。
（１２）本実施形態によっても、上記第１実施形態と同様に、上記作用効果（１）〜（８）を奏することができる。また、本実施形態での駆動方法として、上記第２実施形態で説明したインタレース型の垂直走査や第３実施形態で説明した飛び越し走査型の垂直走査を採用することにより、高速でのデータ書き込みを実現することができる。
（第５実施形態）
次に、本発明に係る電子装置または電気光学装置の駆動方法を有機ＥＬディスプレイに適用した第５実施形態について図８に基づいて説明する。図８は、上記第１実施形態で説明した有機ＥＬディスプレイ１０における画素回路の内部回路構成を示す回路図を示す。
【０１４２】
本実施形態は、図３に示す上記画素回路２０Ｒ，２０Ｇ，２０Ｂに代えて図８に示す画素回路２０″Ｒ，２０″Ｇ，２０″Ｂを用いて構成した有機ＥＬディスプレイ１０に本発明を適用したものである。その他の構成は、上記第１実施形態と同じである。したがって、第１実施形態と同様の部位には同一の符号を付して重複した説明を省略する。
【０１４３】
図８に示すように、各画素回路２０″Ｒ，２０″Ｇ，２０″Ｂは、第１のトランジスタとしての駆動用トランジスタＱｄと、駆動用トランジスタＱｄのゲート（第１の制御用端子）に接続された保持キャパシタＣ１と、第２のトランジスタとしての第２スイッチングトランジスタＱｓｗ２とを備える。第２スイッチングトランジスタＱｓｗ２は、駆動用トランジスタＱｄのドレイン（第１の端子）と保持キャパシタＣ１との電気的な接続を制御するもので、ソース（第３の端子）とドレイン（第４の端子）とを備える。
【０１４４】
第２スイッチングトランジスタＱｓｗ２のソースは駆動用トランジスタＱｄのドレイン（第１の端子）に、第２スイッチングトランジスタＱｓｗ２のドレインは駆動用トランジスタＱｄのゲートにそれぞれ接続されている。また、第２スイッチングトランジスタＱｓｗ２のゲート（第２の制御用端子）は、第２の副走査線Ｙ１２〜Ｙｎ２の一つに接続されている。
【０１４５】
また、各画素回路２０″Ｒ，２０″Ｇ，２０″Ｂは、第３のトランジスタとしての第１スイッチングトランジスタＱｓｗ１と、第４のトランジスタとしての開始トランジスタＱ３とを備える。第１スイッチングトランジスタＱｓｗ１のソース（第５の端子）は、第２スイッチングトランジスタＱｓｗ２のドレインと保持キャパシタＣ１を介して電気的に接続されかつ駆動用トランジスタＱｄのソース（第２の端子）と電気的に接続されている。また、第１スイッチングトランジスタＱｓｗ１のドレイン（第６の端子）はデータ線Ｘ１〜Ｘｍの一つに接続されており、第１スイッチングトランジスタＱｓｗ１のゲート（第３の制御用端子）は第２の副走査線Ｙ１２〜Ｙｎ２の一つに接続されている。
【０１４６】
開始トランジスタＱ３は、Ｐチャンネル型ＴＦＴであり、そのドレイン（第７の端子）は駆動用トランジスタＱｄのソースに接続されている。また、開始トランジスタＱ３のソース（第８の端子）は電源線Ｌ１に接続されており、そのゲート（第４の制御用端子）は第３の副走査線ＳＣ１３〜ＳＣｎ３の一つに接続されている。
【０１４７】
ここで、各画素回路２０″Ｒ，２０″Ｇ，２０″Ｂの動作を簡単に説明する。ここでは走査線Ｙ１が選択されるときの各赤用画素回路２０″Ｒの動作のみを図８に基づいて説明する。
【０１４８】
走査線Ｙ１が選択されると、上記セット期間Ｔｓ（図４参照）に、各赤用画素回路２０″Ｒの両トランジスタＱｓｗ１，Ｑｓｗ２の各ゲートにＨレベルの第１走査信号ＳＣ１１，Ｈレベルの第２走査信号ＳＣ１２が第１の副走査線Ｙ１１，第２の副走査線Ｙ１２をそれぞれ介して入力される。これにより、両トランジスタＱｓｗ１，Ｑｓｗ２がそれぞれオン状態となる。このとき、データ線Ｘｍから赤用データ信号ＩＤＲが各赤用画素回路２０″Ｒに供給され、赤用データ信号ＩＤＲに応じた電荷量が保持キャパシタＣ１に保持される。その結果、駆動用トランジスタＱｄのゲートに印加される電圧は、赤用データ信号ＩＤＲの電流値で設定される輝度階調に応じた電圧となる。
【０１４９】
この後、第１走査信号ＳＣ１１，第２走査信号ＳＣ１２及び第３走査信号ＳＣ１３それぞれＨレベルからＬレベル（ローレベル）になるとともに、第３走査信号ＳＣ１３がＬレベルからＨレベルになる。これにより、両トランジスタＱｓｗ１，Ｑｓｗ２が共にオフ状態になるとともに、開始トランジスタＱ３がオン状態となる。両トランジスタＱｓｗ１，Ｑｓｗ２が共にオフ状態となることで、駆動用トランジスタＱｄは保持キャパシタＣ１に保持された電荷量により設定されるゲート電圧に対応した導通状態となる。このとき、その導通状態に応じた駆動電流、つまり赤用データ信号ＩＤＲの電流値に応じた駆動電流が有機ＥＬ素子２１に流れ、有機ＥＬ素子２１がその駆動電流に応じた輝度階調で発光し始め、この後も発光し続ける。
【０１５０】
こうして、走査線Ｙ１が選択されることで、走査線Ｙ１に接続された各赤用画素回路２０″Ｒでは、図４で示すセット期間Ｔｓに、駆動用トランジスタＱｄをオン状態に設定して、赤用データ信号ＩＤＲの電流値で設定される輝度階調で有機ＥＬ素子２１を発光させる（セット動作）。
【０１５１】
この後、両トランジスタＱｓｗ１，Ｑｓｗ２を共にオフさせたままの状態で、上記リセット期間Ｔｒ（図４参照）に第３走査信号ＳＣ１３をＬレベルからＨレベルにする。これにより、開始トランジスタＱ３がオフ状態となり、有機ＥＬ素子２１への電流の供給が遮断され、有機ＥＬ素子２１は発光を停止する。
【０１５２】
こうしてリセットされた赤用画素回路２０Ｒの有機ＥＬ素子２１は、次のフレームのリセット期間Ｔｒに上記セット動作がなされるまで、非発光の状態にあり、保持キャパシタＣ１は上記リセット電圧の電荷量にリセットされた状態で次のセット期間Ｔｓの開始を待つ。
【０１５３】
以上説明した走査線Ｙ１が選択されるときの各赤用画素回路２０″Ｒの動作は、他の走査線Ｙ１〜Ｙｎが選択されるときの各赤用画素回路２０″Ｒ，各緑用画素回路２０″Ｇ及び各青用画素回路２０″Ｂにも同様に当てはまる。
【０１５４】
このように、本実施形態における各画素回路２０の駆動方法は、次の第１のステップと、第２のステップとを備える。
（第１のステップ）両トランジスタＱｓｗ１，Ｑｓｗ２を共にオン状態とする。この状態で、第３の信号線としてのデータ線Ｘ１〜Ｘｍの一つを介して供給されるデータ信号ＩＤＲを、第１スイッチングトランジスタＱｓｗ１のドレイン及びソースを介して保持キャパシタＣ１に供給し、保持キャパシタＣ１に電荷として蓄積する。これにより、駆動用トランジスタＱｄの導通状態をデータ信号ＩＤＲに応じて設定する。
【０１５５】
（第２のステップ）開始トランジスタＱ３をオフ状態として、有機ＥＬ素子２１は発光を停止を変化させる。
次に、上記第５実施形態に係る有機ＥＬディスプレイ１０の駆動方法の特徴を以下に記載する。
（１３）本実施形態によっても、上記第１実施形態と同様に、上記作用効果（１）〜（８）を奏することができる。また、本実施形態での駆動方法として、上記第２実施形態で説明したインタレース型の垂直走査や第３実施形態で説明した飛び越し走査型の垂直走査を採用することにより、高速でのデータ書き込みを実現することができる。
【０１５６】
（電子機器）
次に、電子機器の適用について図９に基づいて説明する。上記各実施形態で説明した有機ＥＬディスプレイ１０は、モバイル型のパーソナルコンピュータ、携帯電話、デジタルカメラ等種々の電子機器に適用できる。
【０１５７】
図９は、有機ＥＬディスプレイ１０が実装された携帯電話の構成を示している。図９において、携帯電話７０は、複数の操作ボタン７１、受話口７２、送話口７３、前記有機ＥＬディスプレイ１０を用いた表示ユニット７４を備えている。この場合でも、有機ＥＬディスプレイ１０を用いた表示ユニット７４は上記実施形態と同様な効果を発揮する。その結果、携帯電話７０は、欠陥の少ない画像表示を実現することができる。
【０１５８】
なお、本発明の実施形態は、以下のように変更してもよい。
○上記実施形態では、駆動用トランジスタＱｄのソース（第２の端子）は、電気的に所定の電位としての電源電圧Ｖｄｄに接続されているが、その所定の電位は電源電圧に限られない。
【０１５９】
○上記各実施形態では、駆動用トランジスタＱｄとしてＰチャンネル型ＦＥＴを用いているが、駆動用トランジスタとしてＮチャンネル型ＦＥＴを用いてもよい。その場合、駆動用トランジスタのゲートに印加される電圧がＶｄｄ＋Ｖｔｈ以下の電位（電源電圧Ｖｄｄとは異なる電位）になると、駆動用トランジスタがオフ状態になる。これにより、各画素回路の保持キャパシタＣ１はＶｄｄ＋Ｖｔｈ以下のリセット電圧にリセットされる。
【０１６０】
○上記各実施形態では、電子回路として画素回路２０に具体化して好適な効果を得たが、有機ＥＬ素子２１以外の例えばＬＥＤやＦＥＤ、電子放出素子、プラズマ素子等の発光素子のような電流駆動素子を駆動する電子回路に具体化してもよい。ＲＡＭ等の記憶装置に具体化してもよい。
【０１６１】
○上記各実施形態では、画素回路２０Ｒ，２０Ｇ，２０Ｂの電流駆動素子として有機ＥＬ素子２１について具体化したが、無機ＥＬ素子に具体化してもよい。つまり、本発明を無機ＥＬ素子からなる無機ＥＬディスプレイに応用しても良い。さらにまた、本発明は液晶ディスプレイにも応用可能で、液晶ディスプレイの動画特性を向上することができる。
【０１６２】
○上記各実施形態では３色の有機ＥＬ素子２１に対して各色用の画素回路２０Ｒ，２０Ｇ，２０Ｂを設けた有機ＥＬディスプレイであったが、１色からなるＥＬ素子の画素回路からなるＥＬディスプレイに応用しても良い。
【図面の簡単な説明】
【図１】第１実施形態の有機ＥＬディスプレイを示すブロック回路図。
【図２】第１実施形態の表示パネル部を示す回路図。
【図３】第１実施形態の画素回路とデータ線駆動回路を示す回路図。
【図４】第１実施形態の駆動方法を説明するためのタイミングチャート。
【図５】第２実施形態の駆動方法を説明するためのタイミングチャート。
【図６】第３実施形態の駆動方法を説明するためのタイミングチャート。
【図７】第４実施形態の画素回路とデータ線駆動回路を示す回路図。
【図８】第５実施形態の画素回路とデータ線駆動回路を示す回路図。
【図９】携帯電話の構成を示す斜視図。
【符号の説明】
１０…電子装置または電気光学装置としての有機ＥＬディスプレイ、１１…表示パネル部、２０…画素回路、２０Ｒ…単位回路または電子回路としての赤用画素回路、２０Ｇ…単位回路または電子回路としての緑用画素回路、２０Ｂ…単位回路または電子回路としての青用画素回路、２１…電子素子、電気光学素子または発光素子としての有機ＥＬ素子、７０…電子機器としての携帯電話、Ｌ１…電源線、Ｙ１〜Ｙｎ…走査線、Ｙ１１〜Ｙｎ１…第１の信号線としての第１の副走査線、Ｙ１２〜Ｙｎ２…第２の信号線としての第２の副走査線、Ｘ１〜Ｘｍ…第３の信号線としてのデータ線、Ｑｄ…第１のトランジスタとしての駆動用トランジスタ、Ｑｓｗ１…第２のトランジスタまたは第３のトランジスタとしての第１スイッチングトランジスタ、Ｑｓｗ２…第３のトランジスタまたは第４のトランジスタとしての第２スイッチングトランジスタ、Ｑｃ…第２のトランジスタとしての変換用トランジスタ、Ｑｓｔ…開始トランジスタ、Ｑ３…第４のトランジスタとしての開始トランジスタ。
【図１】
2004198493.tif 000003
【図２】
2004198493.tif 000004
【図３】
2004198493.tif 000005
【図４】
2004198493.tif 000006
【図５】
2004198493.tif 000007
【図６】
2004198493.tif 000008
【図７】
2004198493.tif 000009
【図８】
2004198493.tif 000010
【図９】
2004198493.tif 000011